(57)【要約】【課題】電子装置を提供する。【解決手段】第１フレキシブル基板と、複数の第１スペーサと、第２フレキシブル基板と、複数の第２スペーサと、液晶層と、を含む液晶表示装置が提供される。第１スペーサは第１フレキシブル基板上に配置され、第２フレキシブル基板は第１フレキシブル基板に対向して配置され、第２スペーサは第２フレキシブル基板上に配置され、液晶層は第１フレキシブル基板と第２フレキシブル基板との間に配置される。【選択図】図１
2020126233.tif 000002
【特許請求の範囲】
【請求項１】
第１フレキシブル基板と、
前記第１フレキシブル基板上に配置される複数の第１スペーサと、
前記第１フレキシブル基板に対向して配置される第２フレキシブル基板と、
前記第２フレキシブル基板上に配置される複数の第２スペーサと、
前記第１フレキシブル基板と前記第２フレキシブル基板との間に配置される液晶層と、
を備える液晶表示装置。
【請求項２】
前記複数の第２スペーサの１つが、前記複数の第１スペーサの１つに重なり合う請求項１に記載の液晶表示装置。
【請求項３】
前記複数の第１スペーサの１つが、前記複数の第２スペーサの１つを取り囲む請求項１に記載の液晶表示装置。
【請求項４】
前記複数の第１スペーサの第１部分が、第１配置構造として配置される請求項１に記載の液晶表示装置。
【請求項５】
前記複数の第２スペーサの１つが、前記第１配置構造内に配置される請求項４に記載の液晶表示装置。
【請求項６】
互いに隣接する、前記第１部分の前記複数の第１スペーサの任意の２つが距離を有し、同じ方向において、前記距離が前記複数の第２スペーサの１つの幅よりも小さい請求項４に記載の液晶表示装置。
【請求項７】
別の同じ方向において、前記距離の別のもう１つが、前記複数の第２スペーサの別のもう１つの幅よりも大きい請求項６に記載の液晶表示装置。
【請求項８】
前記複数の第１スペーサの前記第１部分が、スペーサおよびもう１つのスペーサを備え、前記複数の第２スペーサの１つが、前記スペーサと前記もう１つのスペーサとの間に配置される請求項４に記載の液晶表示装置。
【請求項９】
前記複数の第１スペーサの少なくとも１つが、Ｌ字形状である請求項１に記載の液晶表示装置。
【請求項１０】
前記複数の第１スペーサまたは前記複数の第２スペーサの少なくとも１つが、Ｚ字形状である請求項１に記載の液晶表示装置。
【請求項１１】
前記複数の第１スペーサの１つ、および、前記複数の第２スペーサの１つが、第１方向に沿って交互に並べられ、前記複数の第２スペーサの別なもう１つ、および、前記複数の第１スペーサの別のもう１つが、前記第１方向に沿って交互に並べられる請求項１に記載の液晶表示装置。
【請求項１２】
前記複数の第１スペーサの第２部分が、第２配置構造として配置される請求項４に記載の液晶表示装置。
【請求項１３】
前記第１配置構造が、前記第２配置構造と対称をなす請求項１２に記載の液晶表示装置。
【請求項１４】
前記第１部分および前記第２部分がそれぞれ、少なくとも、対称の軸が前記第１部分と前記第２部分との間であるスペーサを備え、前記第１部分の前記スペーサと前記対称の軸との間の距離が、前記第２部分の前記スペーサと前記対称の軸との間の距離と等しい請求項１２に記載の液晶表示装置。
【請求項１５】
前記第１部分および前記第２部分がそれぞれ、別のスペーサを備え、前記第１部分の前記スペーサと前記対称の軸との間の距離が、前記第１部分の前記別のスペーサと前記対称の軸との間の距離と異なる請求項１４に記載の液晶表示装置。
【請求項１６】
前記複数の第１スペーサまたは前記複数の第２スペーサの少なくとも１つが、角を有し、前記角の内側の湾曲の半径が、前記角の外側の湾曲の半径よりも大きい請求項１に記載の液晶表示装置。
【請求項１７】
前記複数の第２スペーサの１つの底部の外縁、および、対応する、前記複数の第１スペーサの１つの底部の内側の外縁が、距離を有する請求項１に記載の液晶表示装置。
【請求項１８】
前記第１フレキシブル基板と前記第２フレキシブル基板との間に配置される複数の支持スペーサをさらに備える請求項１に記載の液晶表示装置。
【請求項１９】
第１偏光板と第２偏光板とをさらに備え、前記第１偏光板は、前記第１フレキシブル基板の前記複数の第１スペーサから離れた側に取り付けられ、前記第２偏光板は、前記第２フレキシブル基板の前記複数の第２スペーサから離れた側に取り付けられる請求項１に記載の液晶表示装置。
【請求項２０】
前記複数の第１スペーサの１つおよび前記複数の第２スペーサの１つが、第１方向に交互に並べられ、前記複数の第２スペーサの１つの前記第１方向に平行な平面上への投影が、前記複数の第１スペーサの１つの前記平面上への投影に重なり合う請求項１に記載の液晶表示装置。
【発明の詳細な説明】
【技術分野】
【０００１】
本出願は、２０１９年２月１日に出願された中国特許出願第２０１９１０１０５１１４．５号の利益を主張し、その内容全体が参照により本明細書に組み込まれる。
【０００２】
本開示は液晶表示装置に関し、より具体的には、フレキシブル基板を備えた液晶表示装置に関する。
【背景技術】
【０００３】
技術の進歩に伴い、明るさおよび薄さのトレンドに向けて、表示装置が次第に開発されている。液晶表示装置において、全体の重量と全体の厚さを減少させるために、ガラス基板を、プラスチック材料で形成されたフレキシブル基板に置き換えることができ、当該液晶表示装置が、プラスチック液晶ディスプレイ（ＰＬＣＤ）と呼ばれる場合がある。しかしながら、このＰＬＣＤは、改善する必要があるいくつかの欠点を未だに有している。例えば、フレキシブル基板は曲げられるので、フレキシブル基板に偏光板が取り付けられた後に、偏光板からフレキシブル基板に発生される応力がフレキシブル基板をたわませ、液晶表示装置のカラーフィルタ基板と薄膜トランジスタ基板との間の転位が起こり、これは薄膜トランジスタ基板の画素電極と対応するカラーフィルタとの間の相対位置がシフトされることであり、すなわち、画素電極またはカラーフィルタのゆがみが起こる。このようにして、液晶表示装置で光混合効果が発生する。薄膜トランジスタ基板に一体化されたカラーフィルタ（color filter on array, COA）の設計では、カラーフィルタと画素電極との間で転位が生じないように、カラーフィルタが薄膜トランジスタ基板上に直接製造されるが、ブラックマトリックスの穴は未だに対応する画素電極またはカラーフィルタと共に転位することがあり、開口率の大きな損失が起こる。
【発明の概要】
【発明が解決しようとする課題】
【０００４】
本開示の実施形態は、第１フレキシブル基板と、複数の第１スペーサと、第２フレキシブル基板と、複数の第２スペーサと、液晶層と、を含む液晶表示装置を提供する。前記第１スペーサは前記第１フレキシブル基板上に配置され、前記第２フレキシブル基板は前記第１フレキシブル基板に対向して配置され、前記第２スペーサは前記第２フレキシブル基板上に配置され、前記液晶層は前記第１フレキシブル基板と前記第２フレキシブル基板との間に配置される。
【０００５】
本開示のこれらの目的および他の目的は、様々な図および図面に示される実施形態の以下の詳細な説明を理解した後で、当業者にも明らかになるであろう。
【図面の簡単な説明】
【０００６】
【図１】本開示の第１実施形態に係る電子装置の上面図を示す概略図である。
【図２】図１の断面線Ａ−Ａ’に沿った断面図を示す概略図である。
【図３】本開示の第２実施形態に係る電子装置の異なる部分の上面図を示す概略図である。
【図４】図３の断面線Ｂ−Ｂ’に沿った断面図を示す概略図である。
【図５】本開示の第３実施形態に係る電子装置の上面図を示す概略図である。
【図６】図５の断面線Ｃ−Ｃ’に沿った断面図を示す概略図である。
【図７】本開示の第４実施形態に係る電子装置の上面図を示す概略図である。
【発明を実施するための形態】
【０００７】
以下に記載されるように、図面と併せて以下の詳細な説明を参照することにより、本開示を理解できる。なお、説明の明確化のため、および読者に容易に理解されるようにするため、本開示の様々な図面は電子装置の一部を示しており、様々な図面の特定の構成要素が縮尺通りに描かれていない場合がある。加えて、これらの図面に示されるそれぞれの構成要素の数および寸法は一例にすぎず、本開示の範囲を限定することを意図するものではない。
【０００８】
特定の構成要素を参照するために、明細書およびこれに続く特許請求の範囲の全体に亘って一定の用語が使用される。当業者が理解するように、電子機器メーカーらが、ある構成要素を異なる名称で呼ぶ場合がある。本出願書類は、名称が異なるが機能が異ならない構成要素同士を区別することを意図していない。以下の詳細な説明および特許請求の範囲において、用語“含む（include）”、“備える（comprise）”および“有している（have）”は開放形式で使用され、したがって、これらの用語が「...を含むが、これに限定されない」を意味していると解釈されるべきである。構成要素がもう一つの構成要素（またはその変形）に“接続される（connected to）”といわれるとき、それはもう１つの部品に直接接続されるか、または１つ以上の介在部品を介してもう１つの部品に接続され得ると理解される。
【０００９】
例えば“第１”、“第２”などの用語が詳細な説明や以下の特許請求の範囲で使用されて、特許請求の範囲の様々な構成要素を記載する場合があるが、これらの用語は、請求された構成要素に順序があることを意味せず、または表さず、ある請求された構成要素および他のある請求された構成要素の順序、または製造方法の順番を表していない。これらの用語は、ある種類を備える請求された構成要素を、同一の種類を備える他のある請求された構成要素から区別するために使用される。
【００１０】
なお、以下の説明に記載される異なる実施形態の技術的特徴は、本開示の趣旨から逸脱することなく、別の実施形態を構成するために、お互いに交換、再結合または混合できることに留意されたい。
【００１１】
電子装置10は、第１フレキシブル基板102と、複数の第１スペーサ104と、第２フレキシブル基板106と、複数の第２スペーサ108と、を含む。第１フレキシブル基板102および第２フレキシブル基板106は、互いに対向して配置され、電子装置内の駆動部品、アレイ部品、またはその他の必要なフィルム層を支えるために使用され、第１フレキシブル基板102および第２フレキシブル基板106は、曲げることのできる性質を有し、例えば、ガラス基板、ポリマー基板、またはその他の適切な基板を含むことができる。例えば、第１フレキシブル基板102の材料および第２フレキシブル基板106の材料は、ポリイミド（PI）、ポリエチレンテレフタレート（PET）、ポリカーボネート（PC）、ポリエーテルスルホン（PES）、ポリブチレンテレフタレート（PBT）、ポリエチレンナフタレート（PEN）、ポリアリレート（PAR）、その他の適切な材料、またはこれらの任意の組み合わせを含むことができるが、これらに限定されない。第１スペーサ104は第１フレキシブル基板102上に配置され、第２スペーサ108は第２フレキシブル基板106上に配置されることができる。
【００１２】
図１は本開示の第１実施形態に係る電子装置の上面図を示す概略図であり、図２は図１の断面線Ａ−Ａ’に沿った断面図を示す概略図である。本開示の電子装置を明確に示すために、図１は、電子装置10の１つのサブピクセルを示し、これらに限られないが第２フレキシブル基板、カラーフィルタ層、液晶層、および絶縁層を無視している。具体的には、図２に示すように、第１スペーサ104が第１フレキシブル基板102上に配置されて第２フレキシブル基板106に近接し、第２スペーサ108が第２フレキシブル基板106上に配置されて第１フレキシブル基板102に近接し、そして第１スペーサ104と第２スペーサ108とが対応して配置されるようにして第１フレキシブル基板102および第２フレキシブル基板106が互いに接続され、第１スペーサ104の１つと、対応する第２スペーサ108とは重なり合っても重なり合わなくてもよい。図１に示すように、本実施形態において、上方視点方向ＴＤで、第１スペーサ104の１つは第２スペーサ108の１つに重なり合うことができる。また、第２スペーサ108の投影部の全体が第１スペーサ104の投影部に重なり合ってもよいが、第１スペーサ104の投影部が第２スペーサ108の投影部に完全に重なり合わなくてもよく、本開示はこれらに限定されない。用語“上方視点方向ＴＤ”は、電子装置10と垂直な方向を参照することができる。１つの第１スペーサ104の表面104aは、対応する第２スペーサ108の表面108aに接触してもよいし、他のフィルム層を介して対応する第２スペーサ108aに間接的に接触してもよく、第１スペーサ104と第２スペーサ108との間の摩擦力が増加するようにすることで、第１フレキシブル基板102と第２フレキシブル基板106との水平方向の相対移動を減少できることが留意される。用語“水平方向”は、電子装置10に平行な方向を参照することができ、例えば第１方向Ｄ１または第２方向Ｄ２であるが、これらに限定されない。第１スペーサ104の材料、および、第２スペーサ108の材料は、例えば、それぞれフォトレジスト材料、カラーフィルタ材料、またはその他の適切な絶縁材料を含むことができる。一例として、第１スペーサ104はフォトリソグラフィープロセスにより第１フレキシブル基板102上に形成されることができ、または、さらにエッチングプロセスと組み合わせてもよく、第２スペーサ108はフォトリソグラフィープロセスにより第２フレキシブル基板106上に形成されることができ、または、さらにエッチングプロセスと組み合わせてもよい。いくつかの実施形態において、第１スペーサ104および第２スペーサ108は、それぞれ単層または複層構造とすることができる。
【００１３】
さらに、本実施形態において、上方視点方向ＴＤで、第１スペーサ104の１つは、対応する第２スペーサ108を覆ってもよい。言い換えると、第１スペーサ104の投影部が、対応する第２スペーサ108の投影部よりも大きくてもよく、こうすることで、第１フレキシブル基板102が第２フレキシブル基板106に取り付けられるときに、第１スペーサ104を、対応する第２スペーサ108に一直線にすることが容易になる。もう一つの方法として、第１スペーサ104の１つ、および対応する第２スペーサ108が、第１スペーサ104の別の１つ、および対応する第２スペーサ108に完全に重なり合わされるようにしてもよく、こうすることで、第１スペーサ104と、対応する第２スペーサ108との間の部分的な重なりにより引き起こされる、第１スペーサ一104、および対応する第２スペーサ108上の一様でない応力を減らすようにすることができる。例えば、対応する第２スペーサ108の領域が、第１スペーサ104の領域よりも大きく、または小さくすることができる。上方視点方向ＴＤから見ると、第２スペーサ108の外縁108Eと対応する第１スペーサ104Eとの間の距離Ｇ１は、５ミクロン（μｍ）よりも小さくすることができ、例えば２μｍ〜３μｍの範囲とすることができる。いくつかの実施形態では、第１スペーサ104、および対応する第２スペーサ108は互いに置き換えられる。本開示では、上方視点方向ＴＤから見たスペーサの外縁104Eまたは108Eは、表面104aまたは108aの最外縁である。
【００１４】
本実施形態において、図２の断面図に示すように、互いに対応する、第１スペーサ104の表面104a、および、第２スペーサ108の表面108aは、曲線を描いてもよい。例として第１スペーサ104の表面104aについて述べると、第１スペーサ104の表面104aは、任意に、平面部104a1および曲線部104a2を有してもよく、曲線部104a2は図１の上方視点方向ＴＤで幅104EWを有することができる（例えば、上方視点方向ＴＤで、曲線部104a2の最外縁である104Eの外縁から、曲線部104a2の最高地点まで）。この場合、距離Ｇ１を測定する必要があれば、最外縁である外縁104Eが計算地点として機能する。さらに、第１スペーサ104の下に配置された低層（例えば図２の絶縁層Ｉ３）の１つの表面を見つけ、これが断面図で水平面として機能する。第１スペーサ104の表面104aが水平面に接触する開始位置は、最外縁、すなわち外縁104Eである。さらに、断面図での第１スペーサ104の左右両側の外縁104Eの間の距離は、断面図での第１スペーサ104の最大幅である。同じ方法が、第２スペーサ108の外縁108Eを見つけ、断面図での第２スペーサ108の最大幅を得るために使用されることができ、第１スペーサ104の最大幅と、第２スペーサ108の最大幅との間の差を１０μｍより小さくすることができ、例えば４μｍ〜６μｍの範囲とすることができる。上記２つの最大幅は、同じ断面図から算出されてもよいし、異なる断面図から別々に得られてもよいことが留意される。
【００１５】
本実施形態において、第１フレキシブル基板102に面する第２スペーサ108の表面108aはまた、平面部108a1および曲線部108a2を有してもよいが、これに限定されない。平面部104a1の方面の法線方向ＮＤは、第１フレキシブル基板102の法線方向（例えば上方視点方向ＴＤ）に平行であり、すなわち、平面部104a1は第１フレキシブル基板102に実質的に平行とすることができる。平面部104a1以外の表面104aは曲線部104a2であり、曲線部104a2の接線方向ＴＳと、第１フレキシブル基板102との間の鋭角は、０°よりも大きく９０°よりも小さく、この鋭角は連続して変化してもよい。いくつかの実施形態において、第１スペーサ104の表面104a、および／または、第２スペーサ108の表面108aは、平面部を有さなくてもよく、すなわち、第１スペーサ104の表面104aの全体、および／または、第２スペーサ108の表面108aの全体が、曲線を描いてもよい。いくつかの実施形態において、第１スペーサ104の表面104a、および／または、第２スペーサ108の表面108aは、平面部および曲線部に加え、第１フレキシブル基板102に垂直な側壁部を有してもよい（図６に示すスペーサのように、スペーサの側壁部の接線方向ＴＳが第１フレキシブル基板102の法線方向に実質的に平行である）。いくつかの実施形態において、第１スペーサ104の表面104a、および／または、第２スペーサ108の表面108aは、曲線部および側壁部を有するが、平面部を有さないようにしてもよい。さらに、異なるスペーサの曲線部が異なってもよく、例えば、曲面の傾斜または曲面の弧度が異なってもよく、そのため、設計によって曲線部の幅が異なったり変化したりしてもよい。
【００１６】
本実施形態において、電子装置10は、例えば液晶表示装置100とすることができ、第１フレキシブル基板102と第２フレキシブル基板106との間に配置される液晶層110を含むことができるが、本開示はこれに限定されない。他の実施形態において、電子装置10はまた、液晶レンズ、検出装置、またはアンテナとすることもできるが、本開示はこれらに限定されない。本実施形態において、液晶層110は、液晶表示装置100の表示グレースケールを調整するための複数の液晶分子ＬＣを含むことができる。加えて、液晶表示装置100は、液晶表示装置100の各サブピクセルのサイズを規定するための、複数の開口112aを有する遮蔽パターン112をさらに含むことができる。図１に示すように、開口112aは、一例としてアレイ構造に並べられてもよいが、これに限定されない。開口112aの横列方向および縦列方向はそれぞれ、例えば第１方向Ｄ１および第２方向Ｄ２とすることができるが、これに限定されない。第１スペーサ104および第２スペーサ108がサブピクセルの開口率に影響を与えることを避けるために、遮蔽パターン112が、上方視点方向ＴＤにおいて第１スペーサ104および第２スペーサ108を覆い、第１スペーサ104および第２スペーサ108を遮蔽するようにしてもよい。本実施形態において、遮蔽パターン112は、第２フレキシブル基板106と液晶層110との間に配置されることができる。他の実施形態では、遮蔽パターン112は、第１フレキシブル基板102と液晶層110との間に配置されてもよい。いくつかの実施形態において、第１方向Ｄ１は、例えば第２方向Ｄ２に垂直とすることができる。
【００１７】
液晶表示装置100は、遮蔽パターン112の開口112aを覆うカラーフィルタ層114をさらに含むことができる。本実施形態において、カラーフィルタ層114の一部は、遮蔽パターン112と液晶層110との間に配置されることができる。いくつかの実施形態において、カラーフィルタ層114は、遮蔽パターン112と第２フレキシブル基板106との間に配置されてもよい。いくつかの実施形態において、カラーフィルタ層114はまた、第１フレキシブル基板102と液晶層110との間に配置されてもよい。具体的には、カラーフィルタ層114は、複数の第１カラーフィルタブロック（図示せず）と、複数の第２カラーフィルタブロック（図示せず）と、複数の第３カラーフィルタブロック（図示せず）を含むことができ、これらは、それぞれ対応する開口112aを覆い、それぞれ第１カラー、第２カラーおよび第３カラーを有し、第１カラー、第２カラーおよび第３カラーは混ぜ合わされて白色になることができる。例えば、開口112aの同じ横列に対応する各第１カラーフィルタブロック、各第２カラーフィルタブロック、および各第３カラーフィルタブロックは、開口112aの横列方向に沿って交互に並べられることができる。
【００１８】
いくつかの実施形態において、液晶表示装置100は、任意に、その種類によって、カラーフィルタ層114と液晶層110との間に配置された配向層（図示せず）を含んでもよい。いくつかの実施形態において、第２スペーサ108の１つは、配向層上に直接配置されてもよいが、これに限定されない。いくつかの実施形態において、第２スペーサ108はカラーフィルタ層114の一部としてもよい。いくつかの実施形態において、第２スペーサ108はカラーフィルタ層上に直接配置されてもよく、配向層は第２スペーサ108上に配置される。このような状況で、配向層の一部は、第２スペーサ108の１つと、対応する第１スペーサ104との間に配置されてもよいが、これに限定されない。
【００１９】
本実施形態において、液晶表示装置100は、液晶層110と第１フレキシブル基板102との間に配置される薄膜トランジスタ層116をさらに含むことができる。例えば、図２に描かれるように、薄膜トランジスタ層116は、第１金属パターン層Ｍ１と、絶縁層Ｉ１と、半導体層ＳＥＭと、第２金属パターン層Ｍ２と、絶縁層Ｉ２と、平坦化層ＰＬと、第１透明電極（図示せず）と、絶縁層Ｉ３と、第２透明電極（図示せず）と、を含むことができ、これらは第１フレキシブル基板102上に順に積層される。上記薄膜トランジスタ層116の積層構造は、一例にすぎず、積層関係は設計要件にしたがって調整されることもできる。図１に示すように、第１金属パターン層Ｍ１は、例えば複数のゲート電極ＧＥと、複数のゲート線ＧＬと、を含むことができる。絶縁層Ｉ１はゲート絶縁層として機能することができる。半導体層ＳＥＭは複数の半導体アイランドＳＥＭＩを含むことができる。第２金属パターン層Ｍ２は複数のソース電極ＳＥと、複数のドレイン電極ＤＥと、複数のデータ線ＤＬと、を含むことができる。第１透明電極および第２透明電極の１つは画素電極ＰＥとして機能し、第１透明電極および第２透明電極のもう１つは共通電極（図示せず）として機能することができ、第１透明電極および第２透明電極は絶縁層Ｉ３により互いに電気的に絶縁される。第１透明電極の材料および第２透明電極の材料はそれぞれ、例えば、ＩＴＯ、ＩＺＯまたはその他の適切な材料等の透明伝導性酸化物（ＴＣＯ）を含むことができる。ゲート線ＧＬは第１方向Ｄ１に延び、データ線ＤＬは第２方向Ｄ２に延びる。ゲート電極ＧＥ、ゲート絶縁層、半導体アイランドＳＥＭＩ、ソース電極ＳＥおよびドレイン電極ＤＥは、薄膜トランジスタＴＦＴを形成することができ、本実施形態の薄膜トランジスタＴＦＴはボトムゲート型とすることができる。いくつかの実施形態において、薄膜トランジスタＴＦＴは、トップゲート型、デュアルゲート型、またはその他の型とすることができるが、これらに限定されない。本実施形態の液晶表示装置100は、例えばin-plane switching（IPS）型からなることができる。いくつかの実施形態において、薄膜トランジスタ層116は液晶表示装置100の型によって異なる設計を有するようにしてもよく、例えば、液晶表示装置100はvertical alignment（VA）型からなるようにしてもよいが、これに限定されない。
【００２０】
いくつかの実施形態において、液晶表示装置100は、任意に、その種類にしたがって絶縁層Ｉ３と液晶層110との間に配置される別の配向層（図示せず）を含んでもよい。いくつかの実施形態において、第１スペーサ104の１つは、当該別の配向層上に直接配置されてもよいが、これに限定されない。いくつかの実施形態において、第１スペーサ104は絶縁層Ｉ３の一部としてもよい。、いくつかの実施形態において、第１スペーサ104は絶縁層Ｉ３上に直接配置されてもよく、配向層は第１スペーサ104上に配置される。この場合、配向層の一部は、第１スペーサ104の１つと、対応する第２スペーサ108との間に配置されてもよいが、これに限定されない。
【００２１】
図１に示すように、遮蔽パターン112の各開口112aは画素電極ＰＥに対応し、各画素電極ＰＥは、開口112aの１つに対応する液晶表示層110の液晶分子ＬＣの回転状態を制御することができ、これにより、対応するサブピクセルのグレースケール値を制御することができる。図１は上方視点方向ＴＤにおいて遮蔽パターン112に重なり合う画素電極PEの一部を示していないが、画素電極ＰＥは対応するコンタクトホール118を介して対応するドレイン電極ＤＥに電気的に接続されるドレイン電極ＤＥに重なり合うように延びる、少なくとも一部を有してもよいことが留意されるべきである。例えば、画素電極ＰＥは図２に示す平坦化層ＰＬと絶縁層Ｉ３との間に配置されることができ、コンタクトホール118は平坦化層ＰＬと絶縁層Ｉ２との間に配置されることができるが、これらに限定されない。他の実施形態では、画素電極ＰＥは図２に示す絶縁層Ｉ３と警鐘層110との間に配置されてもよく、コンタクトホール118は平坦化層ＰＬ、絶縁層Ｉ２および絶縁層Ｉ３内に配置されてもよい。コンタクトホール118の配置のために、コンタクトホール118に対応する絶縁層Ｉ３の上面は平坦でなくてもよく、よって上方視点方向ＴＤにおける第１スペーサ104の位置はコンタクトホール118の位置からできるだけ離れ得ることが留意されるべきである。図１に示すように、本実施形態の第１スペーサ104の１つは、例えば対応する薄膜トランジスタＴＦＴの上に直接配置されることができるが、これに限定されない。
【００２２】
本実施形態において、図２に示すように、液晶表示装置100は、第１偏光板120と、第２偏光板122と、をさらに含むことができる。第１偏光板120は第１フレキシブル基板102の第１スペーサ104から離れた側に取り付けられ、第２偏光板122は第２フレキシブル基板106の第２スペーサ108から離れた側に取り付けられる。いくつかの実施形態において、液晶表示装置100は、任意に、第１バッファ層124と、第２バッファ層と、をさらに含んでもよく、第１バッファ層124は薄膜トランジスタ層116と第１フレキシブル基板102との間に配置され、第２バッファ層126は遮蔽パターン112と第２フレキシブル基板106との間に配置される。第１バッファ層124および第１偏光板120はそれぞれ、第１フレキシブル基板102の両反対側に配置されるので、第１バッファ層124は第１フレキシブル基板102上で第１偏光板120により発生される外側への曲げ応力を調和させるために使用されることができ、第１偏光板120の応力により引き起こされる第１フレキシブル基板102のたわみを減らすことができる。同様に、第２フレキシブル基板106の第２偏光板122とは反対側に配置される第２バッファ層126は、第２フレキシブル基板106上で偏光板122により発生される外側への曲げ応力を調和させるために使用されることができ、第２偏光板122の応力により引き起こされる第２フレキシブル基板106のたわみを減らすことができる。第１バッファ層124の材料および第２バッファ層126の材料はそれぞれ、例えば、酸化ケイ素、窒化ケイ素、またはその他の適切な材料を含むことができる。
【００２３】
従来の液晶表示装置では、偏光板がフレキシブル基板に取り付けられるとき、フレキシブル基板が偏光板により応力を加えられ、薄膜トランジスタ基板の画素電極ＰＥと、対応するカラーフィルタブロックとの間の相対位置が移動し、液晶表示装置内で異常な光混合現象が引き起こされることがある、ことが留意される。本実施形態では、互いに重なり合う、第１スペーサ104の１つの表面104a、および、対応する第２スペーサ108の表面108aが、互いに接触するか、または他のフィルム層を介して互いに接触することができるので、第１スペーサ104と第２スペーサ108との間の摩擦力が増加し、第１スペーサ104と、対応する第２スペーサ108との間の水平方向の相対移動が減少し、第１フレキシブル基板102と第２フレキシブル基板106との間の水平方向の相対移動を減少させることができ、さらに画素電極ＰＥと、対応するカラーフィルタブロックまたは対応する開口112aとの上方視点方向ＴＤにおけるオフセットを減少させることができる。このようにして、液晶表示装置100の表示品質を改善することができる。
【００２４】
本開示の電子装置は、上述した実施形態に限定されず、異なる種々の実施形態またはその他の実施形態を有してもよい。記載を簡略化するために、他の実施形態において同じ構成要素は第１実施形態と同じ符号を付ける。便宜上、第１実施形態と他の実施形態との間の相違を比較するために、以下の記載は第１実施形態と他の実施形態との間の相違を詳しく述べて、同一の特徴は重複して記載しないものとする。
【００２５】
図３は本開示の第２実施形態に係る電子装置の異なる部分の上面図を示す概略図であり、図４は図３の断面線Ｂ−Ｂ’に沿った断面図を示す概略図である。本開示の電子装置は、一例として液晶表示装置200を挙げるが、これに限定されない。明確にするために、図３に示す液晶表示装置200は、第２フレキシブル基板と、カラーフィルタ層と、液晶層と、絶縁層と、を割愛しているが、これに限定されない。図３はスペーサの底部の外縁の形状を示す。第１スペーサ204Aの１つは第２スペーサ208Aに隣接して配置され得ることが留意される。図４に示すように、局所的相対位置を制限する機能を達成するために、第１スペーサ204A、および対応する第２スペーサ208Aは、水平方向（例えば第２方向Ｄ２）で部分的に重なり合うことができ、第１スペーサ204Aは上方視点方向ＴＤでは第２スペーサ208Aに重なり合わない。言い換えると、第１スペーサ204Aおよび第２スペーサ208Aは、例えばほぞ穴およびほぞとして機能することができ、第１フレキシブル基板102と、第２フレキシブル基板106との間の水平方向の相対移動を減らすことができる。この設計により、第１フレキシブル基板102と、第２フレキシブル基板106との間の水平方向の相対移動を減少させることができ、これにより画素電極と、対応するカラーフィルタブロックまたは対応する開口112aとの間の上方視点方向ＴＤでの相対移動のオフセットを軽減することができる。液晶表示装置200の表示品質も改善することができる
【００２６】
図３の部分Ａに示すように、本開示で提供される液晶表示装置200の第１スペーサ204Aの１つは、第２スペーサ208Aの１つを取り囲むことができる。例えば、第１スペーサ204Aの上方視点の形状は閉じたリング形状とすることができ、第２スペーサ208Aを取り囲む第１スペーサ204Aにより、第２スペーサ208Aの位置は第１スペーサ204Aのリング形状内に制限され、これにより局所的相対位置を制限する機能を達成することができる。本実施形態において、リング形状は、実質的に長方形であり、スペーサの角を曲線状に設計することで製造の困難性を低減するが、本開示はこれに限定されない。他の実施形態において、リング形状は円形であってもよい。上方視点方向ＴＤから見ると、第２スペーサ208Aの底部の外縁208AE、および、対応する第１スペーサ204Aの底部の内側の外縁204AEは、第１フレキシブル基板102と第２フレキシブル基板106との間の水平方向のオフセット量に影響を与える最小距離Ｇ２を有する。例えば、距離Ｇ２は５μｍよりも小さくすることができ、例えば２μｍ〜３μｍの範囲とすることができる。いくつかの実施形態において、第１スペーサ204Aは、対応する第２スペーサ208Aに重なり合わないようにすることができるので、第１スペーサ204A、および対応する第２スペーサ208Aは、コンタクトホール118の位置で平坦でない表面によって影響を受けることがなく、第２スペーサ208Aは、上方視点方向ＴＤにおいてコンタクトホール118と重なり合ってもよい。いくつかの実施形態において、Ａ部分における異なる基板上の第１スペーサ204Aおよび第２スペーサ208Aの位置は、互いに置き換えることができる。いくつかの実施形態において、第１スペーサ204Aの角204ARの曲線状の設計は、製造の困難性を低減することができる。いくつかの実施形態において、第１スペーサ204Aの角204ARの内側の湾曲の半径を角204ARの外側の湾曲の半径よりも大きくすると、内側の位置制限機能を強めることができる。
【００２７】
図３の部分Ｂに示すように、第１スペーサ204Bの１つは第２スペーサ208Bを取り囲むことができ、第１スペーサ204Bは第１部分Ｐ１Ｂを含むことができ、第１部分Ｐ１Ｂは、第２スペーサ208Bの移動を制限するために互いに分離された複数のスペーサＳＰＢを含む。本開示において、第２スペーサ208Bに隣接した第１部分Ｐ１Ｂの配置を第１配置構造と呼ぶ。部分Ｂにおいて、各スペーサＳＰＢは、任意に、少なくとも１つの小片部228（例えば２つの小片部228）を含むことができる。小片部228は、異なる方向（例えば第１方向Ｄ１または第２方向Ｄ２）に沿って延びて、１つの湾曲構造を形成するために接続されることができ、小片部228の間の角度が含まれる。例えば、この含み角度は約９０°とすることができ、各スペーサＳＰＢがＬ字形状であり得るが、これに限定されない。いくつかの実施形態において、少なくとも１つのスペーサＳＰＢをＬ字形状としてもよい。第２スペーサ208Bが第１配置構造の範囲を越えて移動するのを防ぐために、２つの隣接するスペーサＳＰＢの間のある方向の距離Ｇ４を、同じ方向の第２スペーサ208Bの幅208BWよりも小さくしてもよく、ここで幅208BWは同方向の最大幅である。本実施形態において、第１部分Ｐ１ＢのスペーサＳＰＢの数は４つとすることができ、スペーサＳＰＢは実質的に長方形の範囲を取り囲むが、これに限定されない。いくつかの実施形態において、各スペーサＳＰＢの含み角度は必要な角度に調整することもでき、スペーサＳＰＢは必要な角度を取り囲むようにしてもよい。いくつかの実施形態において、第１部分Ｐ１ＢのスペーサＳＰＢの数は２つとしてもよく、第２スペーサ208Bは２つのスペーサＳＰＢの間に配置され、各スペーサＳＰＢの小片部228は延伸方向（例えば矢印の方向）に沿って延ばされ、異なる方向に延びる２つの隣接する小片部228の距離Ｇ４は第２スペーサ208Bの幅208BWよりも小さくすることができる。いくつかの実施形態において、Ｂ部分における異なる基板上に配置された第１スペーサ204Bおよび第２スペーサ208Bの位置は、互いに置き換えることができる。いくつかの実施形態において、第１スペーサ204Bの角204BRの曲線状の設計は、製造の困難性を低減することができる。いくつかの実施形態において、第１スペーサ204Bの角204BRの内側の湾曲の半径を角204BRの外側の湾曲の半径よりも大きくすると、内側の位置制限機能を強めることができる。
【００２８】
図３のＣ部分に示すように、第１スペーサ204Cは別の第１部分Ｐ１Ｃをさらに含むことができ、第１部分Ｐ１Ｃは、互いに分離され、別の第１配置構造として配置された複数のスペーサＳＰＣを含み、第２スペーサ208Cは、第２スペーサ208Cの移動を制限するために別の第１配置構造内に配置される。部分Ｂと異なり、部分Ｃでは、スペーサＳＰＣはブロックとすることができ、スペーサＳＰＣの中心点は互いにつなげて領域Ｒとすることができる。ここで使用されるように、“第２スペーサ208Cは配置構造内に配置される”とは、第２スペーサ208Cの少なくとも一部が、上方視点方向ＴＤにおいて領域Ｒ内に配置されることを意味する。本実施形態において、第１スペーサ204Cの第１部分Ｐ１Ｃは、少なくとも３つのスペーサＳＰＣを含むことができ、任意の２つの隣接するスペーサＳＰＣがある方向に距離を有し、少なくとも１つの距離が同じ方向の第２スペーサ208Cの幅よりも小さくすることができる。いくつかの実施形態において、同じ方向（例えば第１方向Ｄ１）で、これらの距離の別の距離Ｇ３が第２スペーサ208Cの幅208CWよりも大きくなるようにしてもよい。このような状況で、延伸線Ｌ１が、第２スペーサ208Cに隣接する開口112aの縁に見つけられ、データ線ＤＬの延伸方向（例えば第２方向Ｄ２）と同じ方向の、第２スペーサ208Cの中心点から延伸線Ｌ１までの最短距離はＷ１である。第２スペーサ208Cの中心点から隣接する別の開口112aまでの最短距離が同じ方法で見つけられ、距離Ｇ３の間隔は別の開口112aに向かい合っており、距離Ｗ２は距離Ｗ１よりも大きい必要があり、第２スペーサ208Cが曲げにより開口112aに移動する状況を減らすようにする。
【００２９】
図３のＤ部分に示すように、第１スペーサ204Dは別の第１部分Ｐ１Ｄをさらに含み、第１スペーサ204Dの第１部分Ｐ１Ｄは互いに分離されたスペーサＳＰＤ１および別のスペーサＳＰＤ２を含む。スペーサＳＰＤ１および別のスペーサＳＰＤ２は別の第１配置構造として配置され、第２スペーサ208Dは、第２スペーサ208Dの移動を制限するために、２つのスペーサＳＰＤ１とＳＰＤ２との間に配置される。図３はスペーサの底部の外縁の形状を示す。本実施形態において、第１方向Ｄ１に平行な平面上への第２スペーサ208Dの投影幅が、２つのスペーサＳＰＤ１，ＳＰＤ２の間の投影距離よりも大きくすることができ、および／または、第２方向Ｄ２に平行な平面上への第２スペーサ208Dの投影幅が、２つのスペーサＳＰＤ１，ＳＰＤ２の間の投影距離よりも大きくすることができ、これにより第１方向Ｄ１および／または第２方向Ｄ２での第２スペーサ208Dの移動を制限することができる。Ｄ部分において、スペーサＳＰＤ１およびＳＰＤ２はブロックとすることもでき、Ｃ部分とは異なり、スペーサＳＰＤ１およびＳＰＤ２は一方向に配置されることができ、例えば、この方向は第１方向Ｄ１および第２方向と異なる。スペーサＳＰＤ１，ＳＰＤ２の中心点は、互いにつなげられて接続線ＣＬを形成することができる。ここで述べるように、“第２スペーサ208Dが２つのスペーサＳＰＤ１およびＳＰＤ２の間に配置される”とは、第２スペーサ208Dの少なくとも一部が上方視点方向ＴＤにおいて接続線ＣＬと交差することを意味する。さらに、上述したブロックは、長方形、正方形、三角形等とすることができるが、これらに限定されない。
【００３０】
いくつかの実施形態において、液晶表示装置200の第１スペーサ、および対応する第２スペーサのいずれか１つが、Ａ部分、Ｂ部分、Ｃ部分、およびＤ部分のうち少なくとも１つの第１スペーサ、および対応する第２スペーサを使用することができる。いくつかの実施形態において、液晶表示装置200の第１スペーサ、および対応する第２スペーサのいずれか１つが、第１実施形態の第１スペーサ104および第２スペーサ108を使用するようにしてもよい。いくつかの実施形態において、液晶表示装置200の第１スペーサおよび第２スペーサは、Ａ部分、Ｂ部分、Ｃ部分、およびＤ部分のうち少なくとも１つの第１スペーサ、および対応する第２スペーサと、第１実施形態の第１スペーサ104および第２スペーサ108と、を組み合わせて使用してもよい。
【００３１】
図５は本開示の第２実施形態に係る電子装置の上面図を示す概略図であり、図６は図５の断面線Ｃ−Ｃ’に沿った断面図を示す概略図である。本実施形態の電子装置は、一例として液晶表示装置300を挙げているが、これに限定されない。液晶表示装置300を明確に示すために、図５に示す液晶表示装置は、第２フレキシブル基板と、カラーフィルタ層と、液晶層と、絶縁層と、を割愛しているが、これらに限定されない。本実施形態の液晶表示装置300において、第１スペーサ304は第１部分Ｐ１Ｄおよび第２部分Ｐ２を含み、第１部分Ｐ１Ｄは第１配置構造として配置され、第２部分Ｐ２は第２配置構造として配置され、第１配置構造は第２配置構造と対称をなす。
【００３２】
本実施形態において、第１部分Ｐ１Ｄは、例えば図３に示すＤ部分の第１部分Ｐ１Ｄと同じように配置してよいが、これに限定されない。第１部分Ｐ１Ｄおよび第２部分Ｐ２はそれぞれ、スペーサＳＰＤ１および別のスペーサＳＰＤ２を含み、第２スペーサ208Dは第１部分Ｐ１Ｄの２つのスペーサＳＰＤ１，ＳＰＤ２の間に配置され、別の第２スペーサ308は第２部分Ｐ２の２つのスペーサＳＰＤ１，ＳＰＤ２の間に配置される。第１部分Ｐ１Ｄおよび第２部分Ｐ２は、それらの間に対称の軸を有し、第１部分Ｐ１Ｄおよび第２部分Ｐ２は対称の軸330に対して互いに対象である。言い換えると、距離Ｇ５１は第１部分Ｐ１ＤのスペーサＳＰＤ１と対称の軸330との間の距離であり、距離Ｇ５２は第２部分Ｐ２のスペーサＳＰＤ１と対称の軸330との間の距離であり、距離Ｇ５１は距離Ｇ５２と実質的に等しくすることができる。Ｇ６１は第１部分Ｐ１ＤのスペーサＳＰＤ２と対称の軸330との間の距離であり、Ｇ６２は第２部分Ｐ２の別のスペーサＳＰＤ２と対称の軸330との間の距離であり、距離Ｇ６１は距離Ｇ６２と実質的に等しくすることができる。いくつかの実施形態において、距離Ｇ５１は距離Ｇ６１と異なってもよい。例えば、第１部分Ｐ１Ｄは第１配置構造として配置され、第２部分Ｐ２は第２配置構造として配置され、第１配置構造は第２配置構造と異なり、第１部分Ｐ１Ｄおよび第２部分Ｐ２は、第２スペーサ208D，308のある方向（例えば第１方向Ｄ１または第２方向Ｄ２）への移動を制限することができる。本実施形態において、誤差範囲０〜３μｍが、用語“実質的に等しい”の範囲に入る。
【００３３】
さらに、第１方向Ｄ１に平行な平面上への第２部分Ｐ２の投影幅を、第２部分Ｐ２の２つのスペーサＳＰＤ１，ＳＰＤ２の間の投影距離よりも大きくすることができ、および／または、第２方向Ｄ２に平行な平面上への第２部分Ｐ２の第２スペーサ308の投影幅を、第２部分Ｐ２の２つのスペーサＳＰＤ１，ＳＰＤ２の間の投影距離よりも大きくすることができ、これにより第２スペーサ308の第１方向Ｄ１および／または第２方向Ｄ２への移動を制限することができる。
【００３４】
言い換えると、第１スペーサ304、および対応する第２スペーサ208D，308の第１部分Ｐ１Ｄおよび第２部分Ｐ２は、位置制限結合体を構成することができ、位置制限結合体において、第１部分Ｐ１ＤのスペーサＳＰＤ１，ＳＰＤ２および第２部分Ｐ２のスペーサＳＰＤ１，ＳＰＤ２を異なる方向に配置することで、対応する第２スペーサ208D，308の局所的相対位置を制限する機能が達成され、これにより第１フレキシブル基板102と第２フレキシブル基板106との間の水平方向への相対移動を減少させ、液晶表示装置300の表示品質を改善することができる。いくつかの実施形態において、液晶表示装置300は複数の位置制限結合体を含んでもよいし、１つの位置制限結合体における距離Ｇ５１，Ｇ５２，Ｇ６１，Ｇ６２はそれぞれ、別な１つの位置制限結合体における距離Ｇ５１，Ｇ５２，Ｇ６１，Ｇ６２と等しくしてもよい。
【００３５】
図５および図６に示すように、いくつかの実施形態において、液晶表示装置300は、第１フレキシブル基板102と第２フレキシブル基板106との間に配置される、複数の支持スペーサ（例えば図５の支持スペーサ332等のような）をさらに含んでもよい。具体的には、支持スペーサは液晶層110の間隔を一定に維持するために使用され、このため支持スペーサは配向層に接触してもよいが、本開示ではこれに限定されない。いくつかの実施形態において、支持スペーサはまた、液晶層110に接触するフィルム層に接触してもよい。例えば、フィルム層は絶縁層、カラーフィルタ層、または遮蔽パターンとすることができる。いくつかの実施形態において、液晶表示装置100は、複数の補助スペーサ（図５に示す補助スペーサ334として）をさらに備えてもよい。断面図において、各補助スペーサ334の高さは、支持スペーサ332の高さよりも低くすることができる。本実施形態において、支持スペーサは円形で、補助スペーサは三角形であるが、これらに限定されない。本開示において、上述した第１スペーサ、第２スペーサ、支持スペーサ、および補助スペーサの表面は、曲線状にすることができ、スペーサが強く押されたときに、上面が応力を消散させて、スペーサが損傷されるのを防ぐことが留意されるが、本開示はこれに限定されない。例えば、第１スペーサ304、および／または、支持スペーサ332、および／または、補助スペーサ334が第１フレキシブル基板102上に形成されるとき、第２フレキシブル基板106に向かい合う第１スペーサ304、および／または、支持スペーサ332、および／または、補助スペーサ334は、曲線状である。ここで述べる湾曲表面は、第１実施形態の第１スペーサ104の湾曲表面104aおよび第２スペーサ108の湾曲表面108aと似ている、または同じであってよい。第２スペーサ308は第２フレキシブル基板106上に形成され、第１フレキシブル基板102に向かい合う第２スペーサ308の表面は曲線状である。別な方法として、他の実施形態では、第１スペーサ304、および／または、支持スペーサ332、および／または、補助スペーサ334が第２フレキシブル基板106に形成されるとき、第１スペーサ304、および／または、支持スペーサ332、および／または、補助スペーサ334の表面は曲線状とすることができ、第２スペーサ308が第１フレキシブル基板102上に形成されるとき、第２フレキシブル基板106に向かい合う第２スペーサ308の表面は曲線状とすることができる。
【００３６】
図７は本開示の第４実施形態に係る電子装置の上面図を示す概略図である。位置制限結合体を明確に示すために、図７は、支持スペーサおよび補助スペーサを割愛しているが、これに限定されない。図７のＥ部分に示すように、位置制限結合体は、少なくとも２つの第１スペーサ354E1，354E2と、少なくとも２つの第２スペーサ358E1，358E2と、を含むことができ、第１スペーサ354E1，354E2および第２スペーサ358E1，358E2は、少なくとも横２列、またはそれ以上に交互に配置される。本実施形態において、第１スペーサ354E1および第２スペーサ358E1は第１方向Ｄ１に連続して配置され、第２スペーサ358E2および第１スペーサ354E2は第１方向Ｄ１に連続して配置されることができる。いくつかの実施形態において、第１スペーサ354E1，354E2および第２スペーサ358E2，358E1は第２方向Ｄ２に並べられることができる。このような状況で、スペーサは開口率への影響を避けることを目的として開口112aを覆うことができない。上述した交互に並ぶ配置を通して、第１スペーサ354E1，354E2および第２スペーサ358E1，358E2は局所的相対位置を制限する機能を達成し、これにより第１フレキシブル基板と第２フレキシブル基板の水平方向への相対移動を減らすことができ、液晶表示装置350の表示品質を改善できるようになる。いくつかの実施得形態において、第１スペーサ354E1と第２スペーサ358E1との間の距離Ｇ７は、５μｍよりも小さくすることができ、例えば２μｍ〜３μｍの範囲とすることができる。別な方法として、第１スペーサ354E1と第２スペーサ358E2との間の距離Ｇ８は、５μｍよりも小さくすることができ、例えば２μｍ〜３μｍの範囲とすることができる。いくつかの実施形態において、例えば、第１方向Ｄ１は第２方向Ｄ２に垂直とすることができる。いくつかの実施形態において、第スペーサ354E1または第２スペーサ358E2は、上方視点方向ＴＤにおいてコンタクトホール118に重なり合うことができるが、これに限定されない。第１スペーサ354E1，354E2および第２スペーサ358E2，358E1は同じ方向に沿って延びる細長い一片、異なる方向に沿って延びる細長い一片、または円形等とすることができるが、これらに限定されない。
【００３７】
図７のＦ部分に示すように、位置制限結合体は、少なくとも２つの第１スペーサ354Fと、少なくとも１つの第２スペーサ358Fと、を含むことができ、第２スペーサ358Fは２つの第１スペーサ354Fの間に配置されることができる。Ｅ部分と異なり、Ｆ部分では、第２スペーサ358Fおよび第１スペーサ354Fは同じ横列に配置される。本実施形態において、第１スペーサ354Fおよび第２スペーサ358Fのそれぞれは、二重曲げ構造とし、第１小片部336と、第２小片部338と、第３小片部340と、を含むことができる。第１小片部336の一端は第２小片部338の一端に接続され、第２小片部338の他端は第３小片部340の一端に接続され、第１小片部336の延伸方向（例えば矢印）および第３小片部340の延伸方向（例えば矢印）は、第２小片部338（例えば矢印）の延伸方向と異なり、二重曲げ構造を形成するようにすることができる。本実施形態において、二重曲げ構造は、例えばジグザグ形状（Ｚ字形状）とすることができるが、これに限定されない。図７に示すように、第１スペーサ354Fおよび第２スペーサ358Fは第１方向Ｄ１に並べられてもよく、第１小片部336および第３小片部340の延伸方向は、例えば第１方向Ｄ１とし、第２小片部338の延伸方向は、例えば第２方向Ｄ２としてもよい。
【００３８】
第１方向Ｄ１に平行な平面上への第２スペーサ358Fの第１小片部336の投影は、隣接する第１スペーサ354Fの第３小片部340の投影に重なり合ってもよく、同じ第２スペーサ358Fの第３小片部340の投影は、別の隣接する第１スペーサ354Fの第１小片部336の投影に重なり合ってもよい。第２方向Ｄ２に平行な平面上への第２スペーサ358Fの第２小片部338の投影は、隣接する第１スペーサ354Fの第２小片部338の投影に重なり合ってもよく、同じ第２スペーサ358Fの第２小片部338の投影は、別の隣接する第１スペーサ354Fの第２小片部338の投影に重なり合ってもよく、このようにして、第２スペーサ358Fの第１方向Ｄ１および第２方向Ｄ２への移動を、第１スペーサ354Fにより制限することができる。したがって、第１フレキシブル基板と第２フレキシブル基板との間の水平方向の相対移動が減少され、液晶表示装置350の表示品質を改善することができる。
【００３９】
いくつかの実施形態において、１つの第１スペーサ354Fの第１小片部336と、第２スペーサ358Fの第１小片部336との間の距離Ｇ９、第１スペーサ354Fの第３小片部340と、第２スペーサ358Fの第３小片部340との間の距離Ｇ１０、および、第２スペーサ358Fの第３小片部340と、別の１つの第１スペーサ354Fの第１小片部336との間の距離Ｇ１１を有することができる。距離Ｇ９，Ｇ１０，Ｇ１１はそれぞれ、５μｍよりも小さくすることができ、例えば２μｍ〜３μｍの範囲とすることができる。いくつかの実施形態において、互いに隣接する第２スペーサ358Fおよび第１スペーサ354Fの１つは第１小片部を含まないようにしてもよいし、または、互いに隣接する第２スペーサ358Fおよび第１スペーサ354Fの１つは第３小片部を含まないようにしてもよい。いくつかの実施形態において、第１スペーサ354Fまたは第２スペーサ358Fの少なくとも１つはジグザグ形状（Ｚ字形状）とすることができる。
【００４０】
いくつかの実施形態において、液晶表示装置の第１スペーサおよび第２スペーサが、図１に記載の第１スペーサ104および第２スペーサ108と、図３のＡ部分、Ｂ部分、Ｃ部分およびＢ部分のうちの少なくとも１つに記載の第１スペーサおよび第２スペーサと、図５に記載の位置制限結合体と、図７のＥ部分およびＦ部分のうちの少なくとも１つに記載の位置制限結合体と、から選択される少なくとも２つの組み合わせを使用してもよい。
【００４１】
上述したように、本開示の電子装置は、第１スペーサと第２スペーサとを重ね合わせることにより、または、１つの第２スペーサを、第１スペーサの配置構造内に、あるいは第１スペーサの間に配置することにより、または、第１スペーサおよび第２スペーサの位置制限結合体により、第１フレキシブル基板と第２フレキシブル基板との間の水平方向への相対移動を減らすことができ、これにより、画素電極と、対応するカラーフィルタブロックまたは対応する開口との上方視点方向におけるオフセットを軽減し、表示品質を改善することができる。
【００４２】
当業者は、開示された教示内容を保持しながら、装置および方法の多数の改良および変更を行えると、容易に気づくだろう。したがって、上記開示は、添付の請求項の境界および範囲によってのみ限定されるとみなされるべきである。
【符号の説明】
【００４３】
10  電子装置
100，200，300，350  液晶表示装置
102  第１フレキシブル基板
106  第２フレキシブル基板
104，204A，204B，204C，204D，304，354E1，354E2，354F  第１スペーサ
108，208A，208B，208C，208D，308，358E1，358E2，358F  第２スペーサ
104E，204AE  第１スペーサの外縁
108E，208AE  第２スペーサの外縁
104EW  第１スペーサの幅
208BW，208CW  第２スペーサの幅
110  液晶層
112  遮蔽パターン
112a  開口
118  コンタクトホール
120  第１偏光板
122  第２偏光板
204AR，204BR  角
330  対称の軸
332  支持スペーサ
334  補助スペーサ
SPB，SPC，SPD1，SPD2  スペーサ
TD  上方視点方向
D1  第１方向
D2  第２方向
G1，G2，G3，G4，G51，G52，G61，G62  距離
P1B，P1C，P1D  第１部分
P2  第２部分
【図１】
2020126233.tif 000003
【図２】
2020126233.tif 000004
【図３】
2020126233.tif 000005
【図４】
2020126233.tif 000006
【図５】
2020126233.tif 000007
【図６】
2020126233.tif 000008
【図７】
2020126233.tif 000009
【手続補正書】
【提出日】令和2年2月4日(2020.2.4)
【手続補正１】
【補正対象書類名】明細書
【補正対象項目名】全文
【補正方法】変更
【補正の内容】
【発明の詳細な説明】
【技術分野】
【０００１】
本出願は、２０１９年２月１日に出願された中国特許出願第２０１９１０１０５１１４．５号の利益を主張し、その内容全体が参照により本明細書に組み込まれる。
【０００２】
本開示は液晶表示装置に関し、より具体的には、フレキシブル基板を備えた液晶表示装置に関する。
【背景技術】
【０００３】
技術の進歩に伴い、明るさおよび薄さのトレンドに向けて、表示装置が次第に開発されている。液晶表示装置において、全体の重量と全体の厚さを減少させるために、ガラス基板を、プラスチック材料で形成されたフレキシブル基板に置き換えることができ、当該液晶表示装置が、プラスチック液晶ディスプレイ（ＰＬＣＤ）と呼ばれる場合がある。しかしながら、このＰＬＣＤは、改善する必要があるいくつかの欠点を未だに有している。例えば、フレキシブル基板は曲げられるので、フレキシブル基板に偏光板が取り付けられた後に、偏光板からフレキシブル基板に発生される応力がフレキシブル基板をたわませ、液晶表示装置のカラーフィルタ基板と薄膜トランジスタ基板との間の転位が起こり、これは薄膜トランジスタ基板の画素電極と対応するカラーフィルタとの間の相対位置がシフトされることであり、すなわち、画素電極またはカラーフィルタのゆがみが起こる。このようにして、液晶表示装置で光混合効果が発生する。薄膜トランジスタ基板に一体化されたカラーフィルタ（color filter on array, COA）の設計では、カラーフィルタと画素電極との間で転位が生じないように、カラーフィルタが薄膜トランジスタ基板上に直接製造されるが、ブラックマトリックスの穴は未だに対応する画素電極またはカラーフィルタと共に転位することがあり、開口率の大きな損失が起こる。
【先行技術文献】
【特許文献】
【０００４】
【特許文献１】米国特許出願公開第２０１５／０１１６６２１号明細書
【特許文献２】米国特許出願公開第２０１６／０１７０２５１号明細書
【発明の概要】
【発明が解決しようとする課題】
【０００５】
本開示の実施形態は、第１フレキシブル基板と、複数の第１スペーサと、第２フレキシブル基板と、複数の第２スペーサと、液晶層と、を含む液晶表示装置を提供する。前記第１スペーサは前記第１フレキシブル基板上に配置され、前記第２フレキシブル基板は前記第１フレキシブル基板に対向して配置され、前記第２スペーサは前記第２フレキシブル基板上に配置され、前記液晶層は前記第１フレキシブル基板と前記第２フレキシブル基板との間に配置される。
【０００６】
本開示のこれらの目的および他の目的は、様々な図および図面に示される実施形態の以下の詳細な説明を理解した後で、当業者にも明らかになるであろう。
【図面の簡単な説明】
【０００７】
【図１】本開示の第１実施形態に係る電子装置の上面図を示す概略図である。
【図２】図１の断面線Ａ−Ａ’に沿った断面図を示す概略図である。
【図３】本開示の第２実施形態に係る電子装置の異なる部分の上面図を示す概略図である。
【図４】図３の断面線Ｂ−Ｂ’に沿った断面図を示す概略図である。
【図５】本開示の第３実施形態に係る電子装置の上面図を示す概略図である。
【図６】図５の断面線Ｃ−Ｃ’に沿った断面図を示す概略図である。
【図７】本開示の第４実施形態に係る電子装置の上面図を示す概略図である。
【発明を実施するための形態】
【０００８】
以下に記載されるように、図面と併せて以下の詳細な説明を参照することにより、本開示を理解できる。なお、説明の明確化のため、および読者に容易に理解されるようにするため、本開示の様々な図面は電子装置の一部を示しており、様々な図面の特定の構成要素が縮尺通りに描かれていない場合がある。加えて、これらの図面に示されるそれぞれの構成要素の数および寸法は一例にすぎず、本開示の範囲を限定することを意図するものではない。
【０００９】
特定の構成要素を参照するために、明細書およびこれに続く特許請求の範囲の全体に亘って一定の用語が使用される。当業者が理解するように、電子機器メーカーらが、ある構成要素を異なる名称で呼ぶ場合がある。本出願書類は、名称が異なるが機能が異ならない構成要素同士を区別することを意図していない。以下の詳細な説明および特許請求の範囲において、用語“含む（include）”、“備える（comprise）”および“有している（have）”は開放形式で使用され、したがって、これらの用語が「...を含むが、これに限定されない」を意味していると解釈されるべきである。構成要素がもう一つの構成要素（またはその変形）に“接続される（connected to）”といわれるとき、それはもう１つの部品に直接接続されるか、または１つ以上の介在部品を介してもう１つの部品に接続され得ると理解される。
【００１０】
例えば“第１”、“第２”などの用語が詳細な説明や以下の特許請求の範囲で使用されて、特許請求の範囲の様々な構成要素を記載する場合があるが、これらの用語は、請求された構成要素に順序があることを意味せず、または表さず、ある請求された構成要素および他のある請求された構成要素の順序、または製造方法の順番を表していない。これらの用語は、ある種類を備える請求された構成要素を、同一の種類を備える他のある請求された構成要素から区別するために使用される。
【００１１】
なお、以下の説明に記載される異なる実施形態の技術的特徴は、本開示の趣旨から逸脱することなく、別の実施形態を構成するために、お互いに交換、再結合または混合できることに留意されたい。
【００１２】
電子装置10は、第１フレキシブル基板102と、複数の第１スペーサ104と、第２フレキシブル基板106と、複数の第２スペーサ108と、を含む。第１フレキシブル基板102および第２フレキシブル基板106は、互いに対向して配置され、電子装置内の駆動部品、アレイ部品、またはその他の必要なフィルム層を支えるために使用され、第１フレキシブル基板102および第２フレキシブル基板106は、曲げることのできる性質を有し、例えば、ガラス基板、ポリマー基板、またはその他の適切な基板を含むことができる。例えば、第１フレキシブル基板102の材料および第２フレキシブル基板106の材料は、ポリイミド（PI）、ポリエチレンテレフタレート（PET）、ポリカーボネート（PC）、ポリエーテルスルホン（PES）、ポリブチレンテレフタレート（PBT）、ポリエチレンナフタレート（PEN）、ポリアリレート（PAR）、その他の適切な材料、またはこれらの任意の組み合わせを含むことができるが、これらに限定されない。第１スペーサ104は第１フレキシブル基板102上に配置され、第２スペーサ108は第２フレキシブル基板106上に配置されることができる。
【００１３】
図１は本開示の第１実施形態に係る電子装置の上面図を示す概略図であり、図２は図１の断面線Ａ−Ａ’に沿った断面図を示す概略図である。本開示の電子装置を明確に示すために、図１は、電子装置10の１つのサブピクセルを示し、これらに限られないが第２フレキシブル基板、カラーフィルタ層、液晶層、および絶縁層を無視している。具体的には、図２に示すように、第１スペーサ104が第１フレキシブル基板102上に配置されて第２フレキシブル基板106に近接し、第２スペーサ108が第２フレキシブル基板106上に配置されて第１フレキシブル基板102に近接し、そして第１スペーサ104と第２スペーサ108とが対応して配置されるようにして第１フレキシブル基板102および第２フレキシブル基板106が互いに接続され、第１スペーサ104の１つと、対応する第２スペーサ108とは重なり合っても重なり合わなくてもよい。図１に示すように、本実施形態において、上方視点方向ＴＤで、第１スペーサ104の１つは第２スペーサ108の１つに重なり合うことができる。また、第２スペーサ108の投影部の全体が第１スペーサ104の投影部に重なり合ってもよいが、第１スペーサ104の投影部が第２スペーサ108の投影部に完全に重なり合わなくてもよく、本開示はこれらに限定されない。用語“上方視点方向ＴＤ”は、電子装置10と垂直な方向を参照することができる。１つの第１スペーサ104の表面104aは、対応する第２スペーサ108の表面108aに接触してもよいし、他のフィルム層を介して対応する第２スペーサ108aに間接的に接触してもよく、第１スペーサ104と第２スペーサ108との間の摩擦力が増加するようにすることで、第１フレキシブル基板102と第２フレキシブル基板106との水平方向の相対移動を減少できることが留意される。用語“水平方向”は、電子装置10に平行な方向を参照することができ、例えば第１方向Ｄ１または第２方向Ｄ２であるが、これらに限定されない。第１スペーサ104の材料、および、第２スペーサ108の材料は、例えば、それぞれフォトレジスト材料、カラーフィルタ材料、またはその他の適切な絶縁材料を含むことができる。一例として、第１スペーサ104はフォトリソグラフィープロセスにより第１フレキシブル基板102上に形成されることができ、または、さらにエッチングプロセスと組み合わせてもよく、第２スペーサ108はフォトリソグラフィープロセスにより第２フレキシブル基板106上に形成されることができ、または、さらにエッチングプロセスと組み合わせてもよい。いくつかの実施形態において、第１スペーサ104および第２スペーサ108は、それぞれ単層または複層構造とすることができる。
【００１４】
さらに、本実施形態において、上方視点方向ＴＤで、第１スペーサ104の１つは、対応する第２スペーサ108を覆ってもよい。言い換えると、第１スペーサ104の投影部が、対応する第２スペーサ108の投影部よりも大きくてもよく、こうすることで、第１フレキシブル基板102が第２フレキシブル基板106に取り付けられるときに、第１スペーサ104を、対応する第２スペーサ108に一直線にすることが容易になる。もう一つの方法として、第１スペーサ104の１つ、および対応する第２スペーサ108が、第１スペーサ104の別の１つ、および対応する第２スペーサ108に完全に重なり合わされるようにしてもよく、こうすることで、第１スペーサ104と、対応する第２スペーサ108との間の部分的な重なりにより引き起こされる、第１スペーサ一104、および対応する第２スペーサ108上の一様でない応力を減らすようにすることができる。例えば、対応する第２スペーサ108の領域が、第１スペーサ104の領域よりも大きく、または小さくすることができる。上方視点方向ＴＤから見ると、第２スペーサ108の外縁108Eと対応する第１スペーサ104Eとの間の距離Ｇ１は、５ミクロン（μｍ）よりも小さくすることができ、例えば２μｍ〜３μｍの範囲とすることができる。いくつかの実施形態では、第１スペーサ104、および対応する第２スペーサ108は互いに置き換えられる。本開示では、上方視点方向ＴＤから見たスペーサの外縁104Eまたは108Eは、表面104aまたは108aの最外縁である。
【００１５】
本実施形態において、図２の断面図に示すように、互いに対応する、第１スペーサ104の表面104a、および、第２スペーサ108の表面108aは、曲線を描いてもよい。例として第１スペーサ104の表面104aについて述べると、第１スペーサ104の表面104aは、任意に、平面部104a1および曲線部104a2を有してもよく、曲線部104a2は図１の上方視点方向ＴＤで幅104EWを有することができる（例えば、上方視点方向ＴＤで、曲線部104a2の最外縁である104Eの外縁から、曲線部104a2の最高地点まで）。この場合、距離Ｇ１を測定する必要があれば、最外縁である外縁104Eが計算地点として機能する。さらに、第１スペーサ104の下に配置された低層（例えば図２の絶縁層Ｉ３）の１つの表面を見つけ、これが断面図で水平面として機能する。第１スペーサ104の表面104aが水平面に接触する開始位置は、最外縁、すなわち外縁104Eである。さらに、断面図での第１スペーサ104の左右両側の外縁104Eの間の距離は、断面図での第１スペーサ104の最大幅である。同じ方法が、第２スペーサ108の外縁108Eを見つけ、断面図での第２スペーサ108の最大幅を得るために使用されることができ、第１スペーサ104の最大幅と、第２スペーサ108の最大幅との間の差を１０μｍより小さくすることができ、例えば４μｍ〜６μｍの範囲とすることができる。上記２つの最大幅は、同じ断面図から算出されてもよいし、異なる断面図から別々に得られてもよいことが留意される。
【００１６】
本実施形態において、第１フレキシブル基板102に面する第２スペーサ108の表面108aはまた、平面部108a1および曲線部108a2を有してもよいが、これに限定されない。平面部104a1の方面の法線方向ＮＤは、第１フレキシブル基板102の法線方向（例えば上方視点方向ＴＤ）に平行であり、すなわち、平面部104a1は第１フレキシブル基板102に実質的に平行とすることができる。平面部104a1以外の表面104aは曲線部104a2であり、曲線部104a2の接線方向ＴＳと、第１フレキシブル基板102との間の鋭角は、０°よりも大きく９０°よりも小さく、この鋭角は連続して変化してもよい。いくつかの実施形態において、第１スペーサ104の表面104a、および／または、第２スペーサ108の表面108aは、平面部を有さなくてもよく、すなわち、第１スペーサ104の表面104aの全体、および／または、第２スペーサ108の表面108aの全体が、曲線を描いてもよい。いくつかの実施形態において、第１スペーサ104の表面104a、および／または、第２スペーサ108の表面108aは、平面部および曲線部に加え、第１フレキシブル基板102に垂直な側壁部を有してもよい（図６に示すスペーサのように、スペーサの側壁部の接線方向ＴＳが第１フレキシブル基板102の法線方向に実質的に平行である）。いくつかの実施形態において、第１スペーサ104の表面104a、および／または、第２スペーサ108の表面108aは、曲線部および側壁部を有するが、平面部を有さないようにしてもよい。さらに、異なるスペーサの曲線部が異なってもよく、例えば、曲面の傾斜または曲面の弧度が異なってもよく、そのため、設計によって曲線部の幅が異なったり変化したりしてもよい。
【００１７】
本実施形態において、電子装置10は、例えば液晶表示装置100とすることができ、第１フレキシブル基板102と第２フレキシブル基板106との間に配置される液晶層110を含むことができるが、本開示はこれに限定されない。他の実施形態において、電子装置10はまた、液晶レンズ、検出装置、またはアンテナとすることもできるが、本開示はこれらに限定されない。本実施形態において、液晶層110は、液晶表示装置100の表示グレースケールを調整するための複数の液晶分子ＬＣを含むことができる。加えて、液晶表示装置100は、液晶表示装置100の各サブピクセルのサイズを規定するための、複数の開口112aを有する遮蔽パターン112をさらに含むことができる。図１に示すように、開口112aは、一例としてアレイ構造に並べられてもよいが、これに限定されない。開口112aの横列方向および縦列方向はそれぞれ、例えば第１方向Ｄ１および第２方向Ｄ２とすることができるが、これに限定されない。第１スペーサ104および第２スペーサ108がサブピクセルの開口率に影響を与えることを避けるために、遮蔽パターン112が、上方視点方向ＴＤにおいて第１スペーサ104および第２スペーサ108を覆い、第１スペーサ104および第２スペーサ108を遮蔽するようにしてもよい。本実施形態において、遮蔽パターン112は、第２フレキシブル基板106と液晶層110との間に配置されることができる。他の実施形態では、遮蔽パターン112は、第１フレキシブル基板102と液晶層110との間に配置されてもよい。いくつかの実施形態において、第１方向Ｄ１は、例えば第２方向Ｄ２に垂直とすることができる。
【００１８】
液晶表示装置100は、遮蔽パターン112の開口112aを覆うカラーフィルタ層114をさらに含むことができる。本実施形態において、カラーフィルタ層114の一部は、遮蔽パターン112と液晶層110との間に配置されることができる。いくつかの実施形態において、カラーフィルタ層114は、遮蔽パターン112と第２フレキシブル基板106との間に配置されてもよい。いくつかの実施形態において、カラーフィルタ層114はまた、第１フレキシブル基板102と液晶層110との間に配置されてもよい。具体的には、カラーフィルタ層114は、複数の第１カラーフィルタブロック（図示せず）と、複数の第２カラーフィルタブロック（図示せず）と、複数の第３カラーフィルタブロック（図示せず）を含むことができ、これらは、それぞれ対応する開口112aを覆い、それぞれ第１カラー、第２カラーおよび第３カラーを有し、第１カラー、第２カラーおよび第３カラーは混ぜ合わされて白色になることができる。例えば、開口112aの同じ横列に対応する各第１カラーフィルタブロック、各第２カラーフィルタブロック、および各第３カラーフィルタブロックは、開口112aの横列方向に沿って交互に並べられることができる。
【００１９】
いくつかの実施形態において、液晶表示装置100は、任意に、その種類によって、カラーフィルタ層114と液晶層110との間に配置された配向層（図示せず）を含んでもよい。いくつかの実施形態において、第２スペーサ108の１つは、配向層上に直接配置されてもよいが、これに限定されない。いくつかの実施形態において、第２スペーサ108はカラーフィルタ層114の一部としてもよい。いくつかの実施形態において、第２スペーサ108はカラーフィルタ層上に直接配置されてもよく、配向層は第２スペーサ108上に配置される。このような状況で、配向層の一部は、第２スペーサ108の１つと、対応する第１スペーサ104との間に配置されてもよいが、これに限定されない。
【００２０】
本実施形態において、液晶表示装置100は、液晶層110と第１フレキシブル基板102との間に配置される薄膜トランジスタ層116をさらに含むことができる。例えば、図２に描かれるように、薄膜トランジスタ層116は、第１金属パターン層Ｍ１と、絶縁層Ｉ１と、半導体層ＳＥＭと、第２金属パターン層Ｍ２と、絶縁層Ｉ２と、平坦化層ＰＬと、第１透明電極（図示せず）と、絶縁層Ｉ３と、第２透明電極（図示せず）と、を含むことができ、これらは第１フレキシブル基板102上に順に積層される。上記薄膜トランジスタ層116の積層構造は、一例にすぎず、積層関係は設計要件にしたがって調整されることもできる。図１に示すように、第１金属パターン層Ｍ１は、例えば複数のゲート電極ＧＥと、複数のゲート線ＧＬと、を含むことができる。絶縁層Ｉ１はゲート絶縁層として機能することができる。半導体層ＳＥＭは複数の半導体アイランドＳＥＭＩを含むことができる。第２金属パターン層Ｍ２は複数のソース電極ＳＥと、複数のドレイン電極ＤＥと、複数のデータ線ＤＬと、を含むことができる。第１透明電極および第２透明電極の１つは画素電極ＰＥとして機能し、第１透明電極および第２透明電極のもう１つは共通電極（図示せず）として機能することができ、第１透明電極および第２透明電極は絶縁層Ｉ３により互いに電気的に絶縁される。第１透明電極の材料および第２透明電極の材料はそれぞれ、例えば、ＩＴＯ、ＩＺＯまたはその他の適切な材料等の透明伝導性酸化物（ＴＣＯ）を含むことができる。ゲート線ＧＬは第１方向Ｄ１に延び、データ線ＤＬは第２方向Ｄ２に延びる。ゲート電極ＧＥ、ゲート絶縁層、半導体アイランドＳＥＭＩ、ソース電極ＳＥおよびドレイン電極ＤＥは、薄膜トランジスタＴＦＴを形成することができ、本実施形態の薄膜トランジスタＴＦＴはボトムゲート型とすることができる。いくつかの実施形態において、薄膜トランジスタＴＦＴは、トップゲート型、デュアルゲート型、またはその他の型とすることができるが、これらに限定されない。本実施形態の液晶表示装置100は、例えばin-plane switching（IPS）型からなることができる。いくつかの実施形態において、薄膜トランジスタ層116は液晶表示装置100の型によって異なる設計を有するようにしてもよく、例えば、液晶表示装置100はvertical alignment（VA）型からなるようにしてもよいが、これに限定されない。
【００２１】
いくつかの実施形態において、液晶表示装置100は、任意に、その種類にしたがって絶縁層Ｉ３と液晶層110との間に配置される別の配向層（図示せず）を含んでもよい。いくつかの実施形態において、第１スペーサ104の１つは、当該別の配向層上に直接配置されてもよいが、これに限定されない。いくつかの実施形態において、第１スペーサ104は絶縁層Ｉ３の一部としてもよい。、いくつかの実施形態において、第１スペーサ104は絶縁層Ｉ３上に直接配置されてもよく、配向層は第１スペーサ104上に配置される。この場合、配向層の一部は、第１スペーサ104の１つと、対応する第２スペーサ108との間に配置されてもよいが、これに限定されない。
【００２２】
図１に示すように、遮蔽パターン112の各開口112aは画素電極ＰＥに対応し、各画素電極ＰＥは、開口112aの１つに対応する液晶表示層110の液晶分子ＬＣの回転状態を制御することができ、これにより、対応するサブピクセルのグレースケール値を制御することができる。図１は上方視点方向ＴＤにおいて遮蔽パターン112に重なり合う画素電極PEの一部を示していないが、画素電極ＰＥは対応するコンタクトホール118を介して対応するドレイン電極ＤＥに電気的に接続されるドレイン電極ＤＥに重なり合うように延びる、少なくとも一部を有してもよいことが留意されるべきである。例えば、画素電極ＰＥは図２に示す平坦化層ＰＬと絶縁層Ｉ３との間に配置されることができ、コンタクトホール118は平坦化層ＰＬと絶縁層Ｉ２との間に配置されることができるが、これらに限定されない。他の実施形態では、画素電極ＰＥは図２に示す絶縁層Ｉ３と警鐘層110との間に配置されてもよく、コンタクトホール118は平坦化層ＰＬ、絶縁層Ｉ２および絶縁層Ｉ３内に配置されてもよい。コンタクトホール118の配置のために、コンタクトホール118に対応する絶縁層Ｉ３の上面は平坦でなくてもよく、よって上方視点方向ＴＤにおける第１スペーサ104の位置はコンタクトホール118の位置からできるだけ離れ得ることが留意されるべきである。図１に示すように、本実施形態の第１スペーサ104の１つは、例えば対応する薄膜トランジスタＴＦＴの上に直接配置されることができるが、これに限定されない。
【００２３】
本実施形態において、図２に示すように、液晶表示装置100は、第１偏光板120と、第２偏光板122と、をさらに含むことができる。第１偏光板120は第１フレキシブル基板102の第１スペーサ104から離れた側に取り付けられ、第２偏光板122は第２フレキシブル基板106の第２スペーサ108から離れた側に取り付けられる。いくつかの実施形態において、液晶表示装置100は、任意に、第１バッファ層124と、第２バッファ層と、をさらに含んでもよく、第１バッファ層124は薄膜トランジスタ層116と第１フレキシブル基板102との間に配置され、第２バッファ層126は遮蔽パターン112と第２フレキシブル基板106との間に配置される。第１バッファ層124および第１偏光板120はそれぞれ、第１フレキシブル基板102の両反対側に配置されるので、第１バッファ層124は第１フレキシブル基板102上で第１偏光板120により発生される外側への曲げ応力を調和させるために使用されることができ、第１偏光板120の応力により引き起こされる第１フレキシブル基板102のたわみを減らすことができる。同様に、第２フレキシブル基板106の第２偏光板122とは反対側に配置される第２バッファ層126は、第２フレキシブル基板106上で偏光板122により発生される外側への曲げ応力を調和させるために使用されることができ、第２偏光板122の応力により引き起こされる第２フレキシブル基板106のたわみを減らすことができる。第１バッファ層124の材料および第２バッファ層126の材料はそれぞれ、例えば、酸化ケイ素、窒化ケイ素、またはその他の適切な材料を含むことができる。
【００２４】
従来の液晶表示装置では、偏光板がフレキシブル基板に取り付けられるとき、フレキシブル基板が偏光板により応力を加えられ、薄膜トランジスタ基板の画素電極ＰＥと、対応するカラーフィルタブロックとの間の相対位置が移動し、液晶表示装置内で異常な光混合現象が引き起こされることがある、ことが留意される。本実施形態では、互いに重なり合う、第１スペーサ104の１つの表面104a、および、対応する第２スペーサ108の表面108aが、互いに接触するか、または他のフィルム層を介して互いに接触することができるので、第１スペーサ104と第２スペーサ108との間の摩擦力が増加し、第１スペーサ104と、対応する第２スペーサ108との間の水平方向の相対移動が減少し、第１フレキシブル基板102と第２フレキシブル基板106との間の水平方向の相対移動を減少させることができ、さらに画素電極ＰＥと、対応するカラーフィルタブロックまたは対応する開口112aとの上方視点方向ＴＤにおけるオフセットを減少させることができる。このようにして、液晶表示装置100の表示品質を改善することができる。
【００２５】
本開示の電子装置は、上述した実施形態に限定されず、異なる種々の実施形態またはその他の実施形態を有してもよい。記載を簡略化するために、他の実施形態において同じ構成要素は第１実施形態と同じ符号を付ける。便宜上、第１実施形態と他の実施形態との間の相違を比較するために、以下の記載は第１実施形態と他の実施形態との間の相違を詳しく述べて、同一の特徴は重複して記載しないものとする。
【００２６】
図３は本開示の第２実施形態に係る電子装置の異なる部分の上面図を示す概略図であり、図４は図３の断面線Ｂ−Ｂ’に沿った断面図を示す概略図である。本開示の電子装置は、一例として液晶表示装置200を挙げるが、これに限定されない。明確にするために、図３に示す液晶表示装置200は、第２フレキシブル基板と、カラーフィルタ層と、液晶層と、絶縁層と、を割愛しているが、これに限定されない。図３はスペーサの底部の外縁の形状を示す。第１スペーサ204Aの１つは第２スペーサ208Aに隣接して配置され得ることが留意される。図４に示すように、局所的相対位置を制限する機能を達成するために、第１スペーサ204A、および対応する第２スペーサ208Aは、水平方向（例えば第２方向Ｄ２）で部分的に重なり合うことができ、第１スペーサ204Aは上方視点方向ＴＤでは第２スペーサ208Aに重なり合わない。言い換えると、第１スペーサ204Aおよび第２スペーサ208Aは、例えばほぞ穴およびほぞとして機能することができ、第１フレキシブル基板102と、第２フレキシブル基板106との間の水平方向の相対移動を減らすことができる。この設計により、第１フレキシブル基板102と、第２フレキシブル基板106との間の水平方向の相対移動を減少させることができ、これにより画素電極と、対応するカラーフィルタブロックまたは対応する開口112aとの間の上方視点方向ＴＤでの相対移動のオフセットを軽減することができる。液晶表示装置200の表示品質も改善することができる
【００２７】
図３の部分Ａに示すように、本開示で提供される液晶表示装置200の第１スペーサ204Aの１つは、第２スペーサ208Aの１つを取り囲むことができる。例えば、第１スペーサ204Aの上方視点の形状は閉じたリング形状とすることができ、第２スペーサ208Aを取り囲む第１スペーサ204Aにより、第２スペーサ208Aの位置は第１スペーサ204Aのリング形状内に制限され、これにより局所的相対位置を制限する機能を達成することができる。本実施形態において、リング形状は、実質的に長方形であり、スペーサの角を曲線状に設計することで製造の困難性を低減するが、本開示はこれに限定されない。他の実施形態において、リング形状は円形であってもよい。上方視点方向ＴＤから見ると、第２スペーサ208Aの底部の外縁208AE、および、対応する第１スペーサ204Aの底部の内側の外縁204AEは、第１フレキシブル基板102と第２フレキシブル基板106との間の水平方向のオフセット量に影響を与える最小距離Ｇ２を有する。例えば、距離Ｇ２は５μｍよりも小さくすることができ、例えば２μｍ〜３μｍの範囲とすることができる。いくつかの実施形態において、第１スペーサ204Aは、対応する第２スペーサ208Aに重なり合わないようにすることができるので、第１スペーサ204A、および対応する第２スペーサ208Aは、コンタクトホール118の位置で平坦でない表面によって影響を受けることがなく、第２スペーサ208Aは、上方視点方向ＴＤにおいてコンタクトホール118と重なり合ってもよい。いくつかの実施形態において、Ａ部分における異なる基板上の第１スペーサ204Aおよび第２スペーサ208Aの位置は、互いに置き換えることができる。いくつかの実施形態において、第１スペーサ204Aの角204ARの曲線状の設計は、製造の困難性を低減することができる。いくつかの実施形態において、第１スペーサ204Aの角204ARの内側の湾曲の半径を角204ARの外側の湾曲の半径よりも大きくすると、内側の位置制限機能を強めることができる。
【００２８】
図３の部分Ｂに示すように、第１スペーサ204Bの１つは第２スペーサ208Bを取り囲むことができ、第１スペーサ204Bは第１部分Ｐ１Ｂを含むことができ、第１部分Ｐ１Ｂは、第２スペーサ208Bの移動を制限するために互いに分離された複数のスペーサＳＰＢを含む。本開示において、第２スペーサ208Bに隣接した第１部分Ｐ１Ｂの配置を第１配置構造と呼ぶ。部分Ｂにおいて、各スペーサＳＰＢは、任意に、少なくとも１つの小片部228（例えば２つの小片部228）を含むことができる。小片部228は、異なる方向（例えば第１方向Ｄ１または第２方向Ｄ２）に沿って延びて、１つの湾曲構造を形成するために接続されることができ、小片部228の間の角度が含まれる。例えば、この含み角度は約９０°とすることができ、各スペーサＳＰＢがＬ字形状であり得るが、これに限定されない。いくつかの実施形態において、少なくとも１つのスペーサＳＰＢをＬ字形状としてもよい。第２スペーサ208Bが第１配置構造の範囲を越えて移動するのを防ぐために、２つの隣接するスペーサＳＰＢの間のある方向の距離Ｇ４を、同じ方向の第２スペーサ208Bの幅208BWよりも小さくしてもよく、ここで幅208BWは同方向の最大幅である。本実施形態において、第１部分Ｐ１ＢのスペーサＳＰＢの数は４つとすることができ、スペーサＳＰＢは実質的に長方形の範囲を取り囲むが、これに限定されない。いくつかの実施形態において、各スペーサＳＰＢの含み角度は必要な角度に調整することもでき、スペーサＳＰＢは必要な角度を取り囲むようにしてもよい。いくつかの実施形態において、第１部分Ｐ１ＢのスペーサＳＰＢの数は２つとしてもよく、第２スペーサ208Bは２つのスペーサＳＰＢの間に配置され、各スペーサＳＰＢの小片部228は延伸方向（例えば矢印の方向）に沿って延ばされ、異なる方向に延びる２つの隣接する小片部228の距離Ｇ４は第２スペーサ208Bの幅208BWよりも小さくすることができる。いくつかの実施形態において、Ｂ部分における異なる基板上に配置された第１スペーサ204Bおよび第２スペーサ208Bの位置は、互いに置き換えることができる。いくつかの実施形態において、第１スペーサ204Bの角204BRの曲線状の設計は、製造の困難性を低減することができる。いくつかの実施形態において、第１スペーサ204Bの角204BRの内側の湾曲の半径を角204BRの外側の湾曲の半径よりも大きくすると、内側の位置制限機能を強めることができる。
【００２９】
図３のＣ部分に示すように、第１スペーサ204Cは別の第１部分Ｐ１Ｃをさらに含むことができ、第１部分Ｐ１Ｃは、互いに分離され、別の第１配置構造として配置された複数のスペーサＳＰＣを含み、第２スペーサ208Cは、第２スペーサ208Cの移動を制限するために別の第１配置構造内に配置される。部分Ｂと異なり、部分Ｃでは、スペーサＳＰＣはブロックとすることができ、スペーサＳＰＣの中心点は互いにつなげて領域Ｒとすることができる。ここで使用されるように、“第２スペーサ208Cは配置構造内に配置される”とは、第２スペーサ208Cの少なくとも一部が、上方視点方向ＴＤにおいて領域Ｒ内に配置されることを意味する。本実施形態において、第１スペーサ204Cの第１部分Ｐ１Ｃは、少なくとも３つのスペーサＳＰＣを含むことができ、任意の２つの隣接するスペーサＳＰＣがある方向に距離を有し、少なくとも１つの距離が同じ方向の第２スペーサ208Cの幅よりも小さくすることができる。いくつかの実施形態において、同じ方向（例えば第１方向Ｄ１）で、これらの距離の別の距離Ｇ３が第２スペーサ208Cの幅208CWよりも大きくなるようにしてもよい。このような状況で、延伸線Ｌ１が、第２スペーサ208Cに隣接する開口112aの縁に見つけられ、データ線ＤＬの延伸方向（例えば第２方向Ｄ２）と同じ方向の、第２スペーサ208Cの中心点から延伸線Ｌ１までの最短距離はＷ１である。第２スペーサ208Cの中心点から隣接する別の開口112aまでの最短距離が同じ方法で見つけられ、距離Ｇ３の間隔は別の開口112aに向かい合っており、距離Ｗ２は距離Ｗ１よりも大きい必要があり、第２スペーサ208Cが曲げにより開口112aに移動する状況を減らすようにする。
【００３０】
図３のＤ部分に示すように、第１スペーサ204Dは別の第１部分Ｐ１Ｄをさらに含み、第１スペーサ204Dの第１部分Ｐ１Ｄは互いに分離されたスペーサＳＰＤ１および別のスペーサＳＰＤ２を含む。スペーサＳＰＤ１および別のスペーサＳＰＤ２は別の第１配置構造として配置され、第２スペーサ208Dは、第２スペーサ208Dの移動を制限するために、２つのスペーサＳＰＤ１とＳＰＤ２との間に配置される。図３はスペーサの底部の外縁の形状を示す。本実施形態において、第１方向Ｄ１に平行な平面上への第２スペーサ208Dの投影幅が、２つのスペーサＳＰＤ１，ＳＰＤ２の間の投影距離よりも大きくすることができ、および／または、第２方向Ｄ２に平行な平面上への第２スペーサ208Dの投影幅が、２つのスペーサＳＰＤ１，ＳＰＤ２の間の投影距離よりも大きくすることができ、これにより第１方向Ｄ１および／または第２方向Ｄ２での第２スペーサ208Dの移動を制限することができる。Ｄ部分において、スペーサＳＰＤ１およびＳＰＤ２はブロックとすることもでき、Ｃ部分とは異なり、スペーサＳＰＤ１およびＳＰＤ２は一方向に配置されることができ、例えば、この方向は第１方向Ｄ１および第２方向と異なる。スペーサＳＰＤ１，ＳＰＤ２の中心点は、互いにつなげられて接続線ＣＬを形成することができる。ここで述べるように、“第２スペーサ208Dが２つのスペーサＳＰＤ１およびＳＰＤ２の間に配置される”とは、第２スペーサ208Dの少なくとも一部が上方視点方向ＴＤにおいて接続線ＣＬと交差することを意味する。さらに、上述したブロックは、長方形、正方形、三角形等とすることができるが、これらに限定されない。
【００３１】
いくつかの実施形態において、液晶表示装置200の第１スペーサ、および対応する第２スペーサのいずれか１つが、Ａ部分、Ｂ部分、Ｃ部分、およびＤ部分のうち少なくとも１つの第１スペーサ、および対応する第２スペーサを使用することができる。いくつかの実施形態において、液晶表示装置200の第１スペーサ、および対応する第２スペーサのいずれか１つが、第１実施形態の第１スペーサ104および第２スペーサ108を使用するようにしてもよい。いくつかの実施形態において、液晶表示装置200の第１スペーサおよび第２スペーサは、Ａ部分、Ｂ部分、Ｃ部分、およびＤ部分のうち少なくとも１つの第１スペーサ、および対応する第２スペーサと、第１実施形態の第１スペーサ104および第２スペーサ108と、を組み合わせて使用してもよい。
【００３２】
図５は本開示の第２実施形態に係る電子装置の上面図を示す概略図であり、図６は図５の断面線Ｃ−Ｃ’に沿った断面図を示す概略図である。本実施形態の電子装置は、一例として液晶表示装置300を挙げているが、これに限定されない。液晶表示装置300を明確に示すために、図５に示す液晶表示装置は、第２フレキシブル基板と、カラーフィルタ層と、液晶層と、絶縁層と、を割愛しているが、これらに限定されない。本実施形態の液晶表示装置300において、第１スペーサ304は第１部分Ｐ１Ｄおよび第２部分Ｐ２を含み、第１部分Ｐ１Ｄは第１配置構造として配置され、第２部分Ｐ２は第２配置構造として配置され、第１配置構造は第２配置構造と対称をなす。
【００３３】
本実施形態において、第１部分Ｐ１Ｄは、例えば図３に示すＤ部分の第１部分Ｐ１Ｄと同じように配置してよいが、これに限定されない。第１部分Ｐ１Ｄおよび第２部分Ｐ２はそれぞれ、スペーサＳＰＤ１および別のスペーサＳＰＤ２を含み、第２スペーサ208Dは第１部分Ｐ１Ｄの２つのスペーサＳＰＤ１，ＳＰＤ２の間に配置され、別の第２スペーサ308は第２部分Ｐ２の２つのスペーサＳＰＤ１，ＳＰＤ２の間に配置される。第１部分Ｐ１Ｄおよび第２部分Ｐ２は、それらの間に対称の軸を有し、第１部分Ｐ１Ｄおよび第２部分Ｐ２は対称の軸330に対して互いに対象である。言い換えると、距離Ｇ５１は第１部分Ｐ１ＤのスペーサＳＰＤ１と対称の軸330との間の距離であり、距離Ｇ５２は第２部分Ｐ２のスペーサＳＰＤ１と対称の軸330との間の距離であり、距離Ｇ５１は距離Ｇ５２と実質的に等しくすることができる。Ｇ６１は第１部分Ｐ１ＤのスペーサＳＰＤ２と対称の軸330との間の距離であり、Ｇ６２は第２部分Ｐ２の別のスペーサＳＰＤ２と対称の軸330との間の距離であり、距離Ｇ６１は距離Ｇ６２と実質的に等しくすることができる。いくつかの実施形態において、距離Ｇ５１は距離Ｇ６１と異なってもよい。例えば、第１部分Ｐ１Ｄは第１配置構造として配置され、第２部分Ｐ２は第２配置構造として配置され、第１配置構造は第２配置構造と異なり、第１部分Ｐ１Ｄおよび第２部分Ｐ２は、第２スペーサ208D，308のある方向（例えば第１方向Ｄ１または第２方向Ｄ２）への移動を制限することができる。本実施形態において、誤差範囲０〜３μｍが、用語“実質的に等しい”の範囲に入る。
【００３４】
さらに、第１方向Ｄ１に平行な平面上への第２部分Ｐ２の投影幅を、第２部分Ｐ２の２つのスペーサＳＰＤ１，ＳＰＤ２の間の投影距離よりも大きくすることができ、および／または、第２方向Ｄ２に平行な平面上への第２部分Ｐ２の第２スペーサ308の投影幅を、第２部分Ｐ２の２つのスペーサＳＰＤ１，ＳＰＤ２の間の投影距離よりも大きくすることができ、これにより第２スペーサ308の第１方向Ｄ１および／または第２方向Ｄ２への移動を制限することができる。
【００３５】
言い換えると、第１スペーサ304、および対応する第２スペーサ208D，308の第１部分Ｐ１Ｄおよび第２部分Ｐ２は、位置制限結合体を構成することができ、位置制限結合体において、第１部分Ｐ１ＤのスペーサＳＰＤ１，ＳＰＤ２および第２部分Ｐ２のスペーサＳＰＤ１，ＳＰＤ２を異なる方向に配置することで、対応する第２スペーサ208D，308の局所的相対位置を制限する機能が達成され、これにより第１フレキシブル基板102と第２フレキシブル基板106との間の水平方向への相対移動を減少させ、液晶表示装置300の表示品質を改善することができる。いくつかの実施形態において、液晶表示装置300は複数の位置制限結合体を含んでもよいし、１つの位置制限結合体における距離Ｇ５１，Ｇ５２，Ｇ６１，Ｇ６２はそれぞれ、別な１つの位置制限結合体における距離Ｇ５１，Ｇ５２，Ｇ６１，Ｇ６２と等しくしてもよい。
【００３６】
図５および図６に示すように、いくつかの実施形態において、液晶表示装置300は、第１フレキシブル基板102と第２フレキシブル基板106との間に配置される、複数の支持スペーサ（例えば図５の支持スペーサ332等のような）をさらに含んでもよい。具体的には、支持スペーサは液晶層110の間隔を一定に維持するために使用され、このため支持スペーサは配向層に接触してもよいが、本開示ではこれに限定されない。いくつかの実施形態において、支持スペーサはまた、液晶層110に接触するフィルム層に接触してもよい。例えば、フィルム層は絶縁層、カラーフィルタ層、または遮蔽パターンとすることができる。いくつかの実施形態において、液晶表示装置100は、複数の補助スペーサ（図５に示す補助スペーサ334として）をさらに備えてもよい。断面図において、各補助スペーサ334の高さは、支持スペーサ332の高さよりも低くすることができる。本実施形態において、支持スペーサは円形で、補助スペーサは三角形であるが、これらに限定されない。本開示において、上述した第１スペーサ、第２スペーサ、支持スペーサ、および補助スペーサの表面は、曲線状にすることができ、スペーサが強く押されたときに、上面が応力を消散させて、スペーサが損傷されるのを防ぐことが留意されるが、本開示はこれに限定されない。例えば、第１スペーサ304、および／または、支持スペーサ332、および／または、補助スペーサ334が第１フレキシブル基板102上に形成されるとき、第２フレキシブル基板106に向かい合う第１スペーサ304、および／または、支持スペーサ332、および／または、補助スペーサ334は、曲線状である。ここで述べる湾曲表面は、第１実施形態の第１スペーサ104の湾曲表面104aおよび第２スペーサ108の湾曲表面108aと似ている、または同じであってよい。第２スペーサ308は第２フレキシブル基板106上に形成され、第１フレキシブル基板102に向かい合う第２スペーサ308の表面は曲線状である。別な方法として、他の実施形態では、第１スペーサ304、および／または、支持スペーサ332、および／または、補助スペーサ334が第２フレキシブル基板106に形成されるとき、第１スペーサ304、および／または、支持スペーサ332、および／または、補助スペーサ334の表面は曲線状とすることができ、第２スペーサ308が第１フレキシブル基板102上に形成されるとき、第２フレキシブル基板106に向かい合う第２スペーサ308の表面は曲線状とすることができる。
【００３７】
図７は本開示の第４実施形態に係る電子装置の上面図を示す概略図である。位置制限結合体を明確に示すために、図７は、支持スペーサおよび補助スペーサを割愛しているが、これに限定されない。図７のＥ部分に示すように、位置制限結合体は、少なくとも２つの第１スペーサ354E1，354E2と、少なくとも２つの第２スペーサ358E1，358E2と、を含むことができ、第１スペーサ354E1，354E2および第２スペーサ358E1，358E2は、少なくとも横２列、またはそれ以上に交互に配置される。本実施形態において、第１スペーサ354E1および第２スペーサ358E1は第１方向Ｄ１に連続して配置され、第２スペーサ358E2および第１スペーサ354E2は第１方向Ｄ１に連続して配置されることができる。いくつかの実施形態において、第１スペーサ354E1，354E2および第２スペーサ358E2，358E1は第２方向Ｄ２に並べられることができる。このような状況で、スペーサは開口率への影響を避けることを目的として開口112aを覆うことができない。上述した交互に並ぶ配置を通して、第１スペーサ354E1，354E2および第２スペーサ358E1，358E2は局所的相対位置を制限する機能を達成し、これにより第１フレキシブル基板と第２フレキシブル基板の水平方向への相対移動を減らすことができ、液晶表示装置350の表示品質を改善できるようになる。いくつかの実施得形態において、第１スペーサ354E1と第２スペーサ358E1との間の距離Ｇ７は、５μｍよりも小さくすることができ、例えば２μｍ〜３μｍの範囲とすることができる。別な方法として、第１スペーサ354E1と第２スペーサ358E2との間の距離Ｇ８は、５μｍよりも小さくすることができ、例えば２μｍ〜３μｍの範囲とすることができる。いくつかの実施形態において、例えば、第１方向Ｄ１は第２方向Ｄ２に垂直とすることができる。いくつかの実施形態において、第スペーサ354E1または第２スペーサ358E2は、上方視点方向ＴＤにおいてコンタクトホール118に重なり合うことができるが、これに限定されない。第１スペーサ354E1，354E2および第２スペーサ358E2，358E1は同じ方向に沿って延びる細長い一片、異なる方向に沿って延びる細長い一片、または円形等とすることができるが、これらに限定されない。
【００３８】
図７のＦ部分に示すように、位置制限結合体は、少なくとも２つの第１スペーサ354Fと、少なくとも１つの第２スペーサ358Fと、を含むことができ、第２スペーサ358Fは２つの第１スペーサ354Fの間に配置されることができる。Ｅ部分と異なり、Ｆ部分では、第２スペーサ358Fおよび第１スペーサ354Fは同じ横列に配置される。本実施形態において、第１スペーサ354Fおよび第２スペーサ358Fのそれぞれは、二重曲げ構造とし、第１小片部336と、第２小片部338と、第３小片部340と、を含むことができる。第１小片部336の一端は第２小片部338の一端に接続され、第２小片部338の他端は第３小片部340の一端に接続され、第１小片部336の延伸方向（例えば矢印）および第３小片部340の延伸方向（例えば矢印）は、第２小片部338（例えば矢印）の延伸方向と異なり、二重曲げ構造を形成するようにすることができる。本実施形態において、二重曲げ構造は、例えばジグザグ形状（Ｚ字形状）とすることができるが、これに限定されない。図７に示すように、第１スペーサ354Fおよび第２スペーサ358Fは第１方向Ｄ１に並べられてもよく、第１小片部336および第３小片部340の延伸方向は、例えば第１方向Ｄ１とし、第２小片部338の延伸方向は、例えば第２方向Ｄ２としてもよい。
【００３９】
第１方向Ｄ１に平行な平面上への第２スペーサ358Fの第１小片部336の投影は、隣接する第１スペーサ354Fの第３小片部340の投影に重なり合ってもよく、同じ第２スペーサ358Fの第３小片部340の投影は、別の隣接する第１スペーサ354Fの第１小片部336の投影に重なり合ってもよい。第２方向Ｄ２に平行な平面上への第２スペーサ358Fの第２小片部338の投影は、隣接する第１スペーサ354Fの第２小片部338の投影に重なり合ってもよく、同じ第２スペーサ358Fの第２小片部338の投影は、別の隣接する第１スペーサ354Fの第２小片部338の投影に重なり合ってもよく、このようにして、第２スペーサ358Fの第１方向Ｄ１および第２方向Ｄ２への移動を、第１スペーサ354Fにより制限することができる。したがって、第１フレキシブル基板と第２フレキシブル基板との間の水平方向の相対移動が減少され、液晶表示装置350の表示品質を改善することができる。
【００４０】
いくつかの実施形態において、１つの第１スペーサ354Fの第１小片部336と、第２スペーサ358Fの第１小片部336との間の距離Ｇ９、第１スペーサ354Fの第３小片部340と、第２スペーサ358Fの第３小片部340との間の距離Ｇ１０、および、第２スペーサ358Fの第３小片部340と、別の１つの第１スペーサ354Fの第１小片部336との間の距離Ｇ１１を有することができる。距離Ｇ９，Ｇ１０，Ｇ１１はそれぞれ、５μｍよりも小さくすることができ、例えば２μｍ〜３μｍの範囲とすることができる。いくつかの実施形態において、互いに隣接する第２スペーサ358Fおよび第１スペーサ354Fの１つは第１小片部を含まないようにしてもよいし、または、互いに隣接する第２スペーサ358Fおよび第１スペーサ354Fの１つは第３小片部を含まないようにしてもよい。いくつかの実施形態において、第１スペーサ354Fまたは第２スペーサ358Fの少なくとも１つはジグザグ形状（Ｚ字形状）とすることができる。
【００４１】
いくつかの実施形態において、液晶表示装置の第１スペーサおよび第２スペーサが、図１に記載の第１スペーサ104および第２スペーサ108と、図３のＡ部分、Ｂ部分、Ｃ部分およびＢ部分のうちの少なくとも１つに記載の第１スペーサおよび第２スペーサと、図５に記載の位置制限結合体と、図７のＥ部分およびＦ部分のうちの少なくとも１つに記載の位置制限結合体と、から選択される少なくとも２つの組み合わせを使用してもよい。
【００４２】
上述したように、本開示の電子装置は、第１スペーサと第２スペーサとを重ね合わせることにより、または、１つの第２スペーサを、第１スペーサの配置構造内に、あるいは第１スペーサの間に配置することにより、または、第１スペーサおよび第２スペーサの位置制限結合体により、第１フレキシブル基板と第２フレキシブル基板との間の水平方向への相対移動を減らすことができ、これにより、画素電極と、対応するカラーフィルタブロックまたは対応する開口との上方視点方向におけるオフセットを軽減し、表示品質を改善することができる。
【００４３】
当業者は、開示された教示内容を保持しながら、装置および方法の多数の改良および変更を行えると、容易に気づくだろう。したがって、上記開示は、添付の請求項の境界および範囲によってのみ限定されるとみなされるべきである。
【符号の説明】
【００４４】
10  電子装置
100，200，300，350  液晶表示装置
102  第１フレキシブル基板
106  第２フレキシブル基板
104，204A，204B，204C，204D，304，354E1，354E2，354F  第１スペーサ
108，208A，208B，208C，208D，308，358E1，358E2，358F  第２スペーサ
104E，204AE  第１スペーサの外縁
108E，208AE  第２スペーサの外縁
104EW  第１スペーサの幅
208BW，208CW  第２スペーサの幅
110  液晶層
112  遮蔽パターン
112a  開口
118  コンタクトホール
120  第１偏光板
122  第２偏光板
204AR，204BR  角
330  対称の軸
332  支持スペーサ
334  補助スペーサ
SPB，SPC，SPD1，SPD2  スペーサ
TD  上方視点方向
D1  第１方向
D2  第２方向
G1，G2，G3，G4，G51，G52，G61，G62  距離
P1B，P1C，P1D  第１部分
P2  第２部分